(57)【要約】  本発明はメッセージ交換方法及び装置、記憶媒体、並びに電子装置を開示している。この方法はサーバに適用され、グループセッションによって開始される請求書作成リクエストを受信するステップと、請求書作成リクエストに応答して、ターゲット請求書を生成するステップと、ターゲット請求書を第１オブジェクトセットに含まれたオブジェクトと第２オブジェクトセットに含まれたオブジェクトに送信するステップと、第１オブジェクトセットに含まれたオブジェクトによって転送された仮想リソースのリソース値が転送対象となる仮想リソースのリソース合計値に達し、且つ第２オブジェクトセットに含まれたオブジェクトによって受信された仮想リソースのリソース値が受信対象となる仮想リソースのリソース合計値に達した場合、ターゲット請求書の帳消しが完成したことを指示するステップと、を含む。本発明は、関連技術における複雑な帳消し処理操作による請求書の処理効率が低いという技術的問題を解決する。
2021520580.tif 000002
【特許請求の範囲】
【請求項１】
メッセージ交換方法であって、
サーバが、グループセッションによって開始される請求書作成リクエストを受信するステップと、
前記サーバが、前記請求書作成リクエストに応答して、ターゲット請求書を生成するステップであって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあるステップと、
前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが、前記ターゲット請求書に記録された前記受信対象となる仮想リソースのリソース値に従って、仮想リソース受信操作を実行するように、前記サーバが、前記ターゲット請求書を前記第１オブジェクトセットに含まれたオブジェクトと前記第２オブジェクトセットに含まれたオブジェクトに送信するステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記サーバが、前記ターゲット請求書の帳消しが完成したことを指示するステップと、
を含むことを特徴とする方法。
【請求項２】
前記サーバが、前記ターゲット請求書を前記第１オブジェクトセットに含まれたオブジェクトと、前記第２オブジェクトセットに含まれたオブジェクトに送信するステップは、
前記サーバが、前記ターゲット請求書を前記第１オブジェクトセットに含まれたオブジェクトと前記第２オブジェクトセットに含まれたオブジェクトに同時に送信するステップ、又は、
前記サーバが、前記ターゲット請求書を前記第１オブジェクトセットに含まれたオブジェクトと前記第２オブジェクトセットに含まれたオブジェクトに非同期的に送信するステップ、
を含むことを特徴とする請求項１に記載の方法。
【請求項３】
前記サーバが、前記ターゲット請求書を、前記第１オブジェクトセットに含まれたオブジェクトと、前記第２オブジェクトセットに含まれたオブジェクトに非同期的に送信するステップは、
前記サーバが、前記第１オブジェクトセットに含まれたオブジェクトに前記ターゲット請求書を送信するステップであって、前記第１オブジェクトセットによって転送された仮想リソースのリソース値が、前記転送対象となる仮想リソースのリソース合計値に達した場合、前記第２オブジェクトセットに含まれたオブジェクトに前記ターゲット請求書を送信するステップ、又は、
前記サーバが、前記第２オブジェクトセットに含まれたオブジェクトに前記ターゲット請求書を送信するステップであって、前記第２オブジェクトセットによって受信された仮想リソースのリソース値が、前記受信対象となる仮想リソースのリソース合計値に達した場合、前記第１オブジェクトセットに含まれたオブジェクトに前記ターゲット請求書を送信するステップ、
を含むことを特徴とする請求項２に記載の方法。
【請求項４】
前記サーバが、前記ターゲット請求書を前記第１オブジェクトセットに含まれたオブジェクトと、前記第２オブジェクトセットに含まれたオブジェクトに送信した後、さらに、
前記サーバが、前記第１オブジェクトセットに含まれたオブジェクトが前記転送対象となる仮想リソースのリソース値に従って転送した仮想リソースを受信し、前記受信対象となる仮想リソースのリソース値に従って、前記第２オブジェクトセットに含まれたオブジェクトに仮想リソースを転送するステップ、又は、
前記サーバが、前記第１オブジェクトセットに含まれたオブジェクトが前記転送対象となる仮想リソースのリソース値に従って転送した仮想リソースを受信し、前記第１オブジェクトセットによって転送された仮想リソースのリソース値が前記転送対象となる仮想リソースのリソース合計値に達した場合、前記受信対象となる仮想リソースのリソース値に従って、前記第２オブジェクトセットに含まれたオブジェクトに仮想リソースを転送するステップ、又は、
前記サーバが、前記受信対象となる仮想リソースのリソース値に従って、前記第２オブジェクトセットに含まれたオブジェクトに仮想リソースを転送し、前記第２オブジェクトセットによって受信された仮想リソースのリソース値が前記受信対象となる仮想リソースのリソース合計値に達した場合、前記第１オブジェクトセットに含まれたオブジェクトが前記転送対象となる仮想リソースのリソース値に従って転送した仮想リソースを受信するステップ、
を含むことを特徴とする請求項１に記載の方法。
【請求項５】
前記サーバが、前記第１オブジェクトセットに含まれたオブジェクトが前記転送対象となるリソース値に従って転送した仮想リソースを受信し、前記受信対象となる仮想リソースのリソース値に従って、前記第２オブジェクトセットに含まれたオブジェクトに仮想リソースを転送するステップは、
前記第１オブジェクトセットから受信された仮想リソースのリソース値が第１リソース値に達し、且つ前記第１リソース値が前記第２オブジェクトセットにおけるターゲットオブジェクトの受信対象となる仮想リソースのリソース値以上である場合、前記サーバが、前記ターゲットオブジェクトの受信対象となる仮想リソースのリソース値に従って、前記第１オブジェクトセットから受信された仮想リソースから仮想リソースを差し引き、前記ターゲットオブジェクトの受信対象となる仮想リソースのリソース値に従って、前記ターゲットオブジェクトに仮想リソースを転送するステップ、
を含むことを特徴とする請求項４に記載の方法。
【請求項６】
前記サーバが前記ターゲット請求書を前記第１オブジェクトセットに含まれたオブジェクトと、前記第２オブジェクトセットに含まれたオブジェクトに送信した後、さらに、
前記サーバが、前記第１オブジェクトセットに含まれたオブジェクトによって送信された第１請求書確認命令を受信するステップであって、前記第１請求書確認命令が、前記ターゲット請求書における前記第１オブジェクトセットに含まれたオブジェクトが転送対象となる仮想リソースを確認したことを指示するために使用されるステップと、
前記サーバが、前記第２オブジェクトセットに含まれたオブジェクトによって送信された第２請求書確認命令を受信するステップであって、前記第２請求書確認命令が、前記ターゲット請求書における前記第２オブジェクトセットに含まれたオブジェクトが受信対象となる仮想リソースを確認したことを指示するために使用されるステップと、
を含むことを特徴とする請求項１に記載の方法。
【請求項７】
メッセージ交換方法であって、前記方法は、
ユーザ機器が、ターゲットオブジェクトの所在するグループセッションのセッションウインドウに、ターゲット請求書の請求書情報を表示するステップであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が、前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第１オブジェクトセットにあるステップと、
前記ユーザ機器が、前記ターゲット請求書に記録されたターゲットリソース値に従って、仮想リソース転送操作を実行するステップであって、前記ターゲットリソース値が、前記ターゲットオブジェクトの転送対象となる仮想リソースを識別するために使用されるステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ユーザ機器が、請求書帳消しメッセージを表示するステップであって、前記請求書帳消しメッセージが、前記ターゲット請求書の帳消し処理が既に完成したことを示すために使用されるステップと、
を含むことを特徴とする方法。
【請求項８】
前記ユーザ機器が、ターゲットオブジェクトの所在するグループセッションのセッションウインドウに、ターゲット請求書の請求書情報を表示するステップは、
前記ユーザ機器が、前記グループセッションのセッションウインドウに前記ターゲット請求書の請求書記録を表示するステップであって、前記グループセッションのうちの前記第１オブジェクトセット及び前記第２オブジェクトセットに含まれたオブジェクトに、前記ターゲット請求書をチェックするチェック権限が配置されるステップと、
前記ユーザ機器が、前記グループセッションのセッションウインドウに、前記ターゲット請求書が生成されたことを提示するための提示情報を表示し、前記ターゲットオブジェクトのために単独で作成されたターゲットセッションのセッションウインドウに、前記ターゲット請求書の請求書記録を表示するステップと、
のうちの１つを含むことを特徴とする請求項７に記載の方法。
【請求項９】
前記ユーザ機器が、前記ターゲット請求書に記録されたターゲットリソース値に従って、仮想リソース転送操作を実行するステップは、
前記ユーザ機器が、第１操作パネルに対して操作を実行することによって生成された第１転送命令を取得するステップであって、前記第１操作パネルが、前記グループセッションのセッションウインドウに表示されるステップと、
前記ユーザ機器が前記第１転送命令に応答して、前記ターゲットオブジェクトに関連付けられたリソースライブラリから前記ターゲットリソース値に対応するターゲット仮想リソースを取得し、前記ターゲット仮想リソースをサーバに転送するステップと、
前記ユーザ機器が、前記グループセッションのセッションウインドウに、第１転送結果メッセージを表示するステップであって、前記第１転送結果メッセージが、前記ターゲットオブジェクトが前記ターゲット仮想リソースを転送した後の転送結果を指示するために使用されるステップと、
を含むことを特徴とする請求項８に記載の方法。
【請求項１０】
前記ユーザ機器が、前記ターゲット請求書に記録されたターゲットリソース値に従って、仮想リソース転送操作を実行するステップは、
前記ユーザ機器が、第２操作パネルに対して操作を実行することによって生成された第２転送命令を取得するステップであって、前記第２操作パネルが、前記ターゲットセッションのセッションウインドウに表示されるステップと、
前記ユーザ機器が、前記第２転送命令に応答して、前記ターゲットオブジェクトに関連付けられたリソースライブラリから、前記ターゲットリソース値に対応するターゲット仮想リソースを取得し、前記ターゲット仮想リソースをサーバに転送するステップと、
前記ユーザ機器が、前記ターゲットセッションのセッションウインドウに、第２転送結果メッセージを表示するステップであって、前記第２転送結果メッセージが、前記ターゲットオブジェクトが前記ターゲット仮想リソースを転送した後の転送結果を指示するために使用されるステップと、
を含むことを特徴とする請求項８に記載の方法。
【請求項１１】
前記ユーザ機器が前記ターゲット請求書に記録されたターゲットリソース値に従って、仮想リソース転送操作を実行するステップの前に、
前記ユーザ機器が、請求書確認命令を取得するステップであって、前記請求書確認命令が、前記ターゲット請求書における前記ターゲットオブジェクトの転送対象となる仮想リソースの前記ターゲットリソース値を確認するために使用されるステップと、
前記ユーザ機器が前記請求書確認命令をサーバに送信するステップと、
前記ユーザ機器が、前記サーバによって送信された操作提示メッセージを受信するステップであって、前記操作提示メッセージが、前記ターゲットオブジェクトに対して仮想リソース転送操作を実行することが許可されていることを提示するために使用されるステップと、
をさらに含むことを特徴とする請求項７に記載の方法。
【請求項１２】
前記ユーザ機器が、ターゲットオブジェクトの所在するグループセッションのセッションウインドウに、ターゲット請求書の請求書情報を表示するステップは、
前記ユーザ機器が、前記ターゲットオブジェクトによってトリガーされた第１請求書リクエストを取得し、前記第１請求書リクエストに応答して、前記グループセッションのセッションウインドウに前記ターゲット請求書の請求書情報を表示するステップであって、前記第１請求書リクエストが、前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれるステップ、又は、
前記ユーザ機器が、前記グループセッションにある他のオブジェクトによってトリガーされた第２請求書リクエストを取得し、前記第２請求書リクエストに応答して、前記グループセッションのセッションウインドウに前記ターゲット請求書の請求書情報を表示するステップであって、前記第２請求書リクエストが、前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれ、前記他のオブジェクトが前記複数のオブジェクトのうちの、前記ターゲットオブジェクト以外のオブジェクトであるステップ、
を含むことを特徴とする請求項７に記載の方法。
【請求項１３】
メッセージ交換方法であって、
ユーザ機器が、ターゲットオブジェクトの所在するグループセッションのセッションウインドウに、ターゲット請求書の請求書情報を表示するステップであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第２オブジェクトセットに含まれるステップと、
前記ユーザ機器が、前記ターゲット請求書に記録されたターゲットリソース値に従って、仮想リソース受信操作を実行するステップであって、前記ターゲットリソース値が、前記ターゲットオブジェクトの受信対象となる仮想リソースを識別するステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ユーザ機器が、請求書帳消しメッセージを表示するステップであって、前記請求書帳消しメッセージが、前記ターゲット請求書の帳消し処理が既に完成したことを示すために使用されるステップと、
を含むことを特徴とする方法。
【請求項１４】
前記ユーザ機器が、ターゲットオブジェクトの所在するグループセッションのセッションウインドウに、ターゲット請求書の請求書情報を表示するステップは、
前記ユーザ機器が、前記グループセッションのセッションウインドウに前記ターゲット請求書の請求書記録を表示するステップであって、前記グループセッションのうちの前記第１オブジェクトセット及び前記第２オブジェクトセットに含まれたオブジェクトに、前記ターゲット請求書をチェックするチェック権限が配置されるステップと、
前記ユーザ機器が、前記グループセッションのセッションウインドウに、前記ターゲット請求書が生成されたことを提示するための提示情報を表示し、前記ターゲットオブジェクトのために単独で作成されたターゲットセッションのセッションウインドウに、前記ターゲット請求書の請求書記録を表示するステップと、
を含むことを特徴とする請求項１３に記載の方法。
【請求項１５】
前記ユーザ機器が、前記ターゲット請求書に記録されたターゲットリソース値に従って、仮想リソース受信操作を実行するステップは、
前記ユーザ機器が、前記グループセッションのセッションウインドウを介して、前記ターゲットリソース値に対応するターゲット仮想リソースを取得するステップと、
前記ユーザ機器が、前記ターゲット仮想リソースを前記ターゲットオブジェクトに関連付けられたリソースライブラリに転送するステップと、
を含むことを特徴とする請求項１４に記載の方法。
【請求項１６】
前記ユーザ機器が前記ターゲット請求書に記録されたターゲットリソース値に従って、仮想リソース受信操作を実行するステップは、
前記ユーザ機器が前記ターゲットセッションのセッションウインドウから、前記ターゲットリソース値に対応するターゲット仮想リソースを取得するステップと、
前記ユーザ機器が、前記ターゲット仮想リソースを前記ターゲットオブジェクトに関連付けられたリソースライブラリに転送するステップと、
を含むことを特徴とする請求項１４に記載の方法。
【請求項１７】
前記ユーザ機器が前記ターゲット請求書に記録されたターゲットリソース値に従って、仮想リソース受信操作を実行するステップの前に、さらに、
前記ユーザ機器が、請求書確認命令を取得するステップであって、前記請求書確認命令が、前記ターゲット請求書における前記ターゲットオブジェクトの受信対象となる仮想リソースの前記ターゲットリソース値を確認するために使用されるステップと、
前記ユーザ機器が前記請求書確認命令をサーバに送信するステップと、
前記ユーザ機器が、前記サーバによって送信された操作提示メッセージを受信するステップであって、前記操作提示メッセージが、前記ターゲットオブジェクトに対して仮想リソース受信操作を実行することが許可されていることを提示するために使用されるステップと、
を含むことを特徴とする請求項１３に記載の方法。
【請求項１８】
前記ユーザ機器が、ターゲットオブジェクトの所在するグループセッションのセッションウインドウに、ターゲット請求書の請求書情報を表示するステップは、
前記ユーザ機器が、前記ターゲットオブジェクトによってトリガーされた第１請求書リクエストを取得し、前記第１請求書リクエストに応答して、前記グループセッションのセッションウインドウに前記ターゲット請求書の請求書情報を表示するステップであって、前記第１請求書リクエストが、前記グループセッションから複数のオブジェクトを選択して前記ターゲット請求書を生成することをリクエストするために使用され、前記複数のオブジェクトが、それぞれ前記第１オブジェクトセットと前記第２オブジェクトセットに含まれるステップ、又は、
前記ユーザ機器が、前記グループセッションにある他のオブジェクトによってトリガーされた第２請求書リクエストを取得し、前記第２請求書リクエストに応答して、前記グループセッションのセッションウインドウに、前記ターゲット請求書の請求書情報を表示するステップであって、前記第２請求書リクエストが、前記グループセッションから複数のオブジェクトを選択して前記ターゲット請求書を生成することをリクエストするために使用され、前記複数のオブジェクトが、それぞれ前記第１オブジェクトセットと前記第２オブジェクトセットに含まれ、前記他のオブジェクトが、前記複数のオブジェクトのうちの、前記ターゲットオブジェクト以外のオブジェクトであるステップ、
を含むことを特徴とする請求項１３に記載の方法。
【請求項１９】
メッセージ交換装置であって、
グループセッションによって開始される請求書作成リクエストを受信するための第１受信ユニットと、
前記請求書作成リクエストに応答して、ターゲット請求書を生成するための生成ユニットであって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにある生成ユニットと、
前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが、前記ターゲット請求書に記録された前記受信対象となる仮想リソースのリソース値に従って、仮想リソース受信操作を実行するように、前記ターゲット請求書を前記第１オブジェクトセットに含まれたオブジェクトと、前記第２オブジェクトセットに含まれたオブジェクトに送信するための第１送信ユニットと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ターゲット請求書の帳消しが完成したことを指示するための第２送信ユニットと、
を含むことを特徴とするメッセージ交換装置。
【請求項２０】
メッセージ交換装置であって、
ターゲットオブジェクトの所在するグループセッションのセッションウインドウに、ターゲット請求書の請求書情報を表示するための第１表示ユニットであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第１オブジェクトセットにある第１表示ユニットと、
前記ターゲット請求書に記録されたターゲットリソース値に従って、仮想リソース転送操作を実行するための実行ユニットであって、前記ターゲットリソース値が、前記ターゲットオブジェクトの転送対象となる仮想リソースを識別するために使用される実行ユニットと、
前記第１オブジェクトセットによって転送された仮想リソースのリソース値が前記転送対象となる仮想リソースのリソース合計値に達し、且つ前記第２オブジェクトセットによって受信された仮想リソースのリソース値が、前記受信対象となる仮想リソースのリソース合計値に達した場合、請求書帳消しメッセージを表示するための第２表示ユニットであって、前記請求書帳消しメッセージが、前記ターゲット請求書の帳消し処理が既に完成したことを示すために使用される第２表示ユニットと、
を含むことを特徴とするメッセージ交換装置。
【請求項２１】
メッセージ交換装置であって、
ターゲットオブジェクトの所在するグループセッションのセッションウインドウに、ターゲット請求書の請求書情報を表示するための第１表示ユニットであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が、前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第２オブジェクトセットにある第１表示ユニットと、
前記ターゲット請求書に記録されたターゲットリソース値に従って、仮想リソース受信操作を実行するための実行ユニットであって、前記ターゲットリソース値が、前記ターゲットオブジェクトの受信対象となる仮想リソースを識別するために使用される実行ユニットと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が前記受信対象となる仮想リソースのリソース合計値に達した場合、請求書帳消しメッセージを表示するための第２表示ユニットであって、前記請求書帳消しメッセージが、前記ターゲット請求書の帳消し処理が既に完成したことを示すために使用される第２表示ユニットと、
を含むことを特徴とするメッセージ交換装置。
【請求項２２】
記憶されたコンピュータプログラムを含む記憶媒体であって、前記プログラムは、実行される際、請求項１〜６又は請求項７〜１２、或いは請求項１３〜１８のいずれか１項に記載の方法を実行する記憶媒体。
【請求項２３】
メモリとプロセッサとを含む電子装置であって、前記メモリにはコンピュータプログラムが記憶され、前記プロセッサは、前記コンピュータプログラムによって、請求項１〜６又は請求項７〜１２、或いは請求項１３〜１８のいずれか１項に記載の方法を実行するように配置されることを特徴とする電子装置。
【請求項２４】
命令を含むコンピュータプログラム製品であって、コンピュータで実行される場合、前記コンピュータに、請求項１〜６又は請求項７〜１２、或いは請求項１３〜１８のいずれか１項に記載の方法を実行させるコンピュータプログラム製品。
【発明の詳細な説明】
【技術分野】
【０００１】
本出願は２０１８年１０月２３日にて中国特許庁に提出され、出願番号が２０１８１１２３７２７３.２であり、名称が「メッセージ交換方法及び装置、記憶媒体、電子装置」である中国特許出願の優先権を主張し、その全内容が援用により本出願に組み込まれる。
【０００２】
本発明はコンピュータ分野に関わり、具体的に、メッセージ交換に関わる。
【背景技術】
【０００３】
ネットワークセキュリティ技術の開発に伴い、ますます多くのユーザーがオンラインでトランザクションアクティビティを完成することを選択し始め、その結果、大量の電子請求書がますます複雑になっている。例えば、複数のユーザオブジェクトに関与する電子請求書について、一般的に、前記複数のユーザオブジェクトが含まれるグループセッションにおいて、当該電子請求書に対する帳消し処理を完成する。具体的に、当該電子請求書に関する複数のユーザオブジェクトはオフラインで、支払い又は受取対象となる金額を事前に決定してから、上記の金額に従って、グループセッションにおいて、それぞれ振込又は入金操作を実行することで、請求書に対する帳消し処理を完成する。
【発明の概要】
【発明が解決しようとする課題】
【０００４】
現在の関連技術が提供した、電子請求書に対して帳消し処理を行う方法において、一般的に、帳消し処理を完成するために、オフラインで帳消し対象となる金額を事前に決定してから、グループセッションで当該電子請求書の請求書メッセージに対して簡単な一方向会話を行う必要がある。
【０００５】
本発明の実施例は、少なくとも、関連技術における複雑な帳消し処理操作による請求書の処理効率が低いという技術的問題を解決するための、メッセージ交換方法及び装置、記憶媒体、電子装置を提供する。
【課題を解決するための手段】
【０００６】
本発明の実施例の一態様によれば、メッセージ交換方法を提供し、
サーバがグループセッションによって開始される請求書作成リクエストを受信するステップと、
前記サーバが前記請求書作成リクエストに応答して、ターゲット請求書を生成するステップであって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあるステップと、
前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが、前記ターゲット請求書に記録された前記受信対象となる仮想リソースのリソース値に従って、仮想リソース受信操作を実行するように、前記サーバが、前記ターゲット請求書を前記第１オブジェクトセットに含まれたオブジェクトと前記第２オブジェクトセットに含まれたオブジェクトに送信するステップと、
前記第１オブジェクトセットによって転送された仮想リソースのリソース値が前記転送対象となる仮想リソースのリソース合計値に達し、且つ前記第２オブジェクトセットによって受信された仮想リソースのリソース値が前記受信対象となる仮想リソースのリソース合計値に達した場合、前記サーバが、前記ターゲット請求書の帳消しが完成したことを指示するステップと、を含む。
【０００７】
本発明の実施例の他の態様によれば、メッセージ交換方法をさらに提供し、
ユーザ機器が、ターゲットオブジェクトの所在するグループセッションのセッションウインドウに、ターゲット請求書の請求書情報を表示するステップであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第１オブジェクトセットにあるステップと、
前記ユーザ機器が、前記ターゲット請求書に記録されたターゲットリソース値に従って、仮想リソース転送操作を実行するステップであって、前記ターゲットリソース値が、前記ターゲットオブジェクトの転送対象となる仮想リソースを識別するために使用されるステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ユーザ機器が、請求書帳消しメッセージを表示するステップであって、前記請求書帳消しメッセージが、前記ターゲット請求書の帳消し処理が既に完成したことを示すために使用されるステップと、を含む。
【０００８】
本発明の実施例のもう１つの態様によれば、メッセージ交換方法をさらに提供し、
ユーザ機器が、ターゲットオブジェクトの所在するグループセッションのセッションウインドウに、ターゲット請求書の請求書情報を表示するステップであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第２オブジェクトセットにあるステップと、
前記ユーザ機器が、前記ターゲット請求書に記録されたターゲットリソース値に従って、仮想リソース受信操作を実行するステップと、前記ターゲットリソース値が前記ターゲットオブジェクトの受信対象となる仮想リソースを識別する為に使用されるステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ユーザ機器が、請求書帳消しメッセージを表示するステップであって、前記請求書帳消しメッセージが、前記ターゲット請求書の帳消し処理が既に完成したことを示すために使用されるステップと、を含む。
【０００９】
本発明の実施例のもう１つの態様によれば、メッセージ交換装置をさらに提供し、
グループセッションによって開始される請求書作成リクエストを受信するための第１受信ユニットと、
前記請求書作成リクエストに応答して、ターゲット請求書を生成するための生成ユニットであって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにある生成ユニットと、
前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが前記ターゲット請求書に記録された前記受信対象となる仮想リソースのリソース値に従って、仮想リソース受信操作を実行するように、前記ターゲット請求書を、前記第１オブジェクトセットに含まれたオブジェクトと前記第２オブジェクトセットに含まれたオブジェクトに送信するための第１送信ユニットと、
前記第１オブジェクトセットによって転送された仮想リソースのリソース値が前記転送対象となる仮想リソースのリソース合計値に達し、且つ前記第２オブジェクトセットによって受信された仮想リソースのリソース値が、前記受信対象となる仮想リソースのリソース合計値に達した場合、前記ターゲット請求書の帳消しが完成したことを指示するための、第２送信ユニットと、を含む。
【００１０】
選択可能な例示として、前記第１送信ユニットは、
前記ターゲット請求書を同時に前記第１オブジェクトセットに含まれたオブジェクトと前記第２オブジェクトセットに含まれたオブジェクトに送信するための、第１送信モジュール、又は、
前記ターゲット請求書を非同期的に前記第１オブジェクトセットに含まれたオブジェクトと前記第２オブジェクトセットに含まれたオブジェクトに送信するための第２送信モジュール、を含む。
【００１１】
選択可能な例示として、前記第２送信モジュールは、
前記第１オブジェクトセットに含まれたオブジェクトに前記ターゲット請求書を送信するための第１送信サブモジュールであって、前記第１オブジェクトセットによって転送された仮想リソースのリソース値が、前記転送対象となる仮想リソースのリソース合計値に達した場合、前記第２オブジェクトセットに含まれたオブジェクトに前記ターゲット請求書を送信する第１送信サブモジュール、又は、
前記第２オブジェクトセットに含まれたオブジェクトに前記ターゲット請求書を送信するための第２送信サブモジュールであって、前記第２オブジェクトセットによって受信された仮想リソースのリソース値が前記受信対象となる仮想リソースのリソース合計値に達した場合、前記第１オブジェクトセットに含まれたオブジェクトに前記ターゲット請求書を送信する第２送信サブモジュール、を含む。
【００１２】
選択可能な例示として、前記装置はさらに、
前記ターゲット請求書を前記第１オブジェクトセットに含まれたオブジェクトと前記第２オブジェクトセットに含まれたオブジェクトに送信した後、前記第１オブジェクトセットに含まれたオブジェクトによって前記ターゲット請求書に記録された仮想リソースのリソース値に従って転送された仮想リソースを受信し、前記ターゲット請求書に記録された仮想リソースのリソース値に従って、前記第２オブジェクトセットに含まれたオブジェクトに仮想リソースを転送するための第２受信ユニット、又は、
前記ターゲット請求書を前記第１オブジェクトセットに含まれたオブジェクトと前記第２オブジェクトセットに含まれたオブジェクトに送信した後、前記第１オブジェクトセットに含まれたオブジェクトによって前記ターゲット請求書に記録された仮想リソースのリソース値に従って転送された仮想リソースを受信し、前記第１オブジェクトセットによって転送された仮想リソースのリソース値が前記ターゲット請求書に記録された前記転送対象となる仮想リソースのリソース合計値に達した場合、前記ターゲット請求書に記録された仮想リソースのリソース値に従って、仮想リソースを前記第２オブジェクトセットに含まれたオブジェクトに転送するための第３受信ユニット、又は、
前記ターゲット請求書を前記第１オブジェクトセットに含まれたオブジェクトと前記第２オブジェクトセットに含まれたオブジェクトに送信した後、前記ターゲット請求書に記録された仮想リソースのリソース値に従って、前記第２オブジェクトセットに含まれたオブジェクトに仮想リソースを転送し、前記第２オブジェクトセットによって受信された仮想リソースのリソース値が前記受信対象となる仮想リソースのリソース合計値に達した場合、前記第１オブジェクトセットに含まれたオブジェクトによって前記ターゲット請求書に記録された仮想リソースのリソース値に従って転送された仮想リソースを受信するための第４受信ユニット、を含む。
【００１３】
選択可能な例示として、前記第２受信ユニットは、
前記第１オブジェクトセットから受信された仮想リソースのリソース値が第１リソース値に達し、且つ前記第１リソース値が前記第２オブジェクトセットにおけるターゲットオブジェクトの受信対象となる仮想リソースのリソース値以上である場合、前記ターゲットオブジェクトの受信対象となる仮想リソースのリソース値に従って、前記第１オブジェクトセットから受信された仮想リソースから、仮想リソースを差し引き、前記ターゲットオブジェクトの受信対象となる仮想リソースのリソース値に従って、前記ターゲットオブジェクトに仮想リソースを転送するための差し引きモジュール、を含む。
【００１４】
選択可能な例示として、前記装置はさらに、
前記ターゲット請求書を前記第１オブジェクトセットに含まれたオブジェクトと前記第２オブジェクトセットに含まれたオブジェクトに送信した後、前記第１オブジェクトセットに含まれたオブジェクトによって送信された第１請求書確認命令を受信するための第５受信ユニットであって、前記第１請求書確認命令が、前記ターゲット請求書における前記第１オブジェクトセットに含まれたオブジェクトが転送対象となる仮想リソースを確認したことを指示するために使用される第５受信ユニットと、
前記第２オブジェクトセットに含まれたオブジェクトによって送信された第２請求書確認命令を受信するための第６受信ユニットであって、前記第２請求書確認命令が、前記ターゲット請求書における前記第２オブジェクトセットに含まれたオブジェクトが受信対象となる仮想リソースを確認したことを指示するために使用される第６受信ユニットと、を含む。
【００１５】
本発明の実施例のもう１つの態様によれば、メッセージ交換装置をさらに提供し、
ターゲットオブジェクトの所在するグループセッションのセッションウインドウに、ターゲット請求書の請求書情報を表示するための第１表示ユニットであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第１オブジェクトセットにある第１表示ユニットと、
前記ターゲット請求書に記録されたターゲットリソース値に従って、仮想リソース転送操作を実行するための実行ユニットであって、前記ターゲットリソース値が前記ターゲットオブジェクトの転送対象となる仮想リソースを識別するために使用される実行ユニットと、
前記第１オブジェクトセットによって転送された仮想リソースのリソース値が前記転送対象となる仮想リソースのリソース合計値に達し、且つ前記第２オブジェクトセットによって受信された仮想リソースのリソース値が、前記受信対象となる仮想リソースのリソース合計値に達した場合、請求書帳消しメッセージを表示するための第２表示ユニットであって、前記請求書帳消しメッセージが、前記ターゲット請求書の帳消し処理が既に完成したことを示すために使用される第２表示ユニットと、を含む。
【００１６】
選択可能な例示として、前記第１表示ユニットは、
前記グループセッションのセッションウインドウに前記ターゲット請求書の請求書記録を表示するための第１表示モジュールであって、前記グループセッションのうちの前記第１オブジェクトセット及び前記第２オブジェクトセットに含まれたオブジェクトに、前記ターゲット請求書をチェックするチェック権限が配置される第１表示モジュールと、
前記グループセッションのセッションウインドウに、前記ターゲット請求書が生成されたことを提示するための提示情報を表示し、前記ターゲットオブジェクトのために単独で作成されたターゲットセッションのセッションウインドウに、前記ターゲット請求書の請求書記録を表示するための第２表示モジュールと、のうちの１つを含む。
【００１７】
選択可能な例示として、前記実行ユニットは、
第１操作パネルに対して操作を実行することによって生成された第１転送命令を取得するための第１取得モジュールであって、前記第１操作パネルが前記グループセッションのセッションウインドウに表示される第１取得モジュールと、
前記第１転送命令に応答して、前記ターゲットオブジェクトに関連付けられたリソースライブラリから、前記ターゲットリソース値に対応するターゲット仮想リソースを取得し、前記ターゲット仮想リソースを前記サーバに転送するための第２取得モジュールと、
前記グループセッションのセッションウインドウに、第１転送結果メッセージを表示するための第３表示モジュールであって、前記第１転送結果メッセージが、前記ターゲットオブジェクトによって前記ターゲット仮想リソースが転送された後の転送結果を指示する第３表示モジュールと、を含む。
【００１８】
選択可能な例示として、前記実行ユニットは、
第２操作パネルに対して操作を実行することによって生成された第２転送命令を取得するための第４取得モジュールであって、前記第２操作パネルが前記ターゲットセッションのセッションウインドウに表示される第４取得モジュールと、
前記第２転送命令に応答して、前記ターゲットオブジェクトに関連付けられたリソースライブラリから、前記ターゲットリソース値に対応するターゲット仮想リソースを取得し、前記ターゲット仮想リソースを前記サーバに転送するための第５取得モジュールと、
前記ターゲットセッションのセッションウインドウに、第２転送結果メッセージを表示するための第４表示モジュールであって、前記第２転送結果メッセージが、前記ターゲットオブジェクトによって前記ターゲット仮想リソースが転送された後の転送結果を指示する第４表示モジュールと、を含む。
【００１９】
選択可能な例示として、前記装置はさらに、
前記ターゲット請求書に記録された前記ターゲットオブジェクトの転送対象となる仮想リソースのターゲットリソース値に従って、仮想リソース転送操作を実行する前に、請求書確認命令を取得するための取得ユニットであって、前記請求書確認命令が、前記ターゲット請求書における前記現在オブジェクトの転送対象となる仮想リソースの前記ターゲットリソース値を確認するために使用される取得ユニットと、
前記請求書確認命令を前記サーバに送信するための送信ユニットと、
前記サーバによって送信された操作提示メッセージを受信するための受信ユニットであって、前記操作提示メッセージが、前記ターゲットオブジェクトに対して仮想リソース転送操作を実行することが許可されていることを提示するために使用される受信ユニットと、を含む。
【００２０】
選択可能な例示として、前記第１表示ユニットは、
前記ターゲットオブジェクトによってトリガーされた第１請求書リクエストを取得し、前記第１請求書リクエストに応答して、前記グループセッションのセッションウインドウに前記ターゲット請求書の請求書情報を表示するための第７取得モジュールであって、前記第１請求書リクエストが、前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれる第７取得モジュール、又は、
前記グループセッションにある他のオブジェクトによってトリガーされた第２請求書リクエストを取得し、前記第２請求書リクエストに応答して、前記グループセッションのセッションウインドウに前記ターゲット請求書の請求書情報を表示するための第８取得モジュールであって、前記第２請求書リクエストが前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれ、前記他のオブジェクトが前記複数のオブジェクトのうちの、前記ターゲットオブジェクト以外のオブジェクトである第８取得モジュール、を含む。
【００２１】
本発明の実施例のもう１つの態様によれば、メッセージ交換装置をさらに提供し、
ターゲットオブジェクトの所在するグループセッションのセッションウインドウに、ターゲット請求書の請求書情報を表示するための第１表示ユニットであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第２オブジェクトセットにある第１表示ユニットと、
前記ターゲット請求書に記録されたターゲットリソース値に従って、仮想リソース受信操作を実行するための実行ユニットであって、前記ターゲットリソース値が前記ターゲットオブジェクトの受信対象となる仮想リソースを識別するために使用される実行ユニットと、
前記第１オブジェクトセットによって転送された仮想リソースのリソース値が前記転送対象となる仮想リソースのリソース合計値に達し、且つ前記第２オブジェクトセットによって受信された仮想リソースのリソース値が前記受信対象となる仮想リソースのリソース合計値に達した場合、請求書帳消しメッセージを表示するための第２表示ユニットであって、前記請求書帳消しメッセージが、前記ターゲット請求書の帳消し処理が既に完成したことを示すために使用される第２表示ユニットと、を含む。
【００２２】
選択可能な例示として、前記第１表示ユニットは、
前記グループセッションのセッションウインドウに前記ターゲット請求書の請求書記録を表示するための第１表示モジュールであって、前記グループセッションのうちの前記第１オブジェクトセット及び前記第２オブジェクトセットに含まれたオブジェクトに、前記ターゲット請求書をチェックするチェック権限が配置される第１表示モジュールと、
前記グループセッションのセッションウインドウに、前記ターゲット請求書が生成されたことを提示するための提示情報を表示し、前記ターゲットオブジェクトのために単独で作成されたターゲットセッションのセッションウインドウに、前記ターゲット請求書の請求書記録を表示するための第２表示モジュールと、を含む。
【００２３】
選択可能な例示として、前記実行ユニットは、
前記グループセッションのセッションウインドウを介して前記ターゲットリソース値に対応するターゲット仮想リソースを取得するための第１取得モジュールと、
前記ターゲット仮想リソースを前記ターゲットオブジェクトに関連付けられたリソースライブラリに転送するための第１転送モジュールと、を含む。
【００２４】
選択可能な例示として、前記実行ユニットは、
前記ターゲットセッションのセッションウインドウから、前記ターゲットリソース値に対応するターゲット仮想リソースを取得するための第２取得モジュールと、
前記ターゲット仮想リソースを前記ターゲットオブジェクトに関連付けられたリソースライブラリに転送するための第２転送モジュールと、を含む。
【００２５】
選択可能な例示として、前記装置はさらに、
前記ターゲット請求書に記録されたターゲットリソース値に従って、仮想リソース受信操作を実行する前に、請求書確認命令を取得するための第１取得ユニットであって、前記請求書確認命令が、前記ターゲット請求書における前記ターゲットオブジェクトの受信対象となる仮想リソースの前記ターゲットリソース値を確認するために使用される第１取得ユニットと、
前記サーバに前記請求書確認命令を送信するための送信ユニットと、
前記サーバによって送信された操作提示メッセージを受信するための受信ユニットであって、前記操作提示メッセージが、前記ターゲットオブジェクトに対して仮想リソース受信操作を実行することが許可されていることを提示するために使用される受信ユニットと、を含む。
【００２６】
選択可能な例示として、前記第１表示ユニットはさらに、
前記ターゲットオブジェクトによってトリガーされた第１請求書リクエストを取得し、前記第１請求書リクエストに応答して、前記グループセッションのセッションウインドウに前記ターゲット請求書の請求書情報を表示するための第２取得ユニットであって、前記第１請求書リクエストが前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれる第２取得ユニット、又は、
前記グループセッションにある他のオブジェクトによってトリガーされた第２請求書リクエストを取得し、前記第２請求書リクエストに応答して、前記グループセッションのセッションウインドウに前記ターゲット請求書の請求書情報を表示するための第３取得ユニットであって、前記第２請求書リクエストが前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれ、前記他のオブジェクトが前記複数のオブジェクトのうちの、前記ターゲットオブジェクト以外のオブジェクトである第３取得ユニット、を含む。
【００２７】
本発明の実施例のもう１つの態様によれば、記憶媒体をさらに提供し、当該記憶媒体にはコンピュータプログラムが記憶され、当該コンピュータプログラムは、実行されるときに、上記のメッセージ交換方法のいずれかを実行するように配置される。
【００２８】
本発明の実施例のもう１つの態様によれば、電子装置をさらに提供し、メモリと、プロセッサと、メモリに記憶され且つプロセッサで実行され得るコンピュータプログラムとを含み、前記プロセッサはコンピュータプログラムによって、上記のメッセージ交換方法のいずれかを実行する。
【発明の効果】
【００２９】
本発明の実施例において、グループセッションによって開始される請求書作成リクエストを受信するステップと、前記請求書作成リクエストに応答して、ターゲット請求書を生成するステップと、前記第１オブジェクトセットに含まれたオブジェクトが前記ターゲット請求書に記録された仮想リソースのリソース値に従って、仮想リソース転送操作を実行し、前記第２オブジェクトセットに含まれたオブジェクトが前記ターゲット請求書に記録された仮想リソースのリソース値に従って、仮想リソース受信操作を実行するように、ターゲット請求書を前記第１オブジェクトセットに含まれたオブジェクトと前記第２オブジェクトセットに含まれたオブジェクトに送信するステップと、第１オブジェクトセットによって転送された仮想リソースのリソース値と第２オブジェクトセットによって受信された仮想リソースのリソース値がターゲット請求書に記録されたリソース合計値に達した場合、ターゲット請求書の帳消しが既に完成したことを指示するステップとを含む方法を採用している。前記方法において、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送するので、第１オブジェクトセットと第２オブジェクトセットのうちの全てのオブジェクトが１回の操作を介して仮想リソースの転送を完成できるという目的を実現し、それにより、仮想リソース転送操作が簡素化され、関連技術における複雑な帳消し処理操作による請求書の処理効率が低いという技術的問題を解決する。
【図面の簡単な説明】
【００３０】
本明細書で説明される図面は本発明に対するさらなる理解を提供し、本出願の一部を構成し、本発明の例示的な実施例及びその説明は、本発明に対する不適切な限定を構成するものではなく、本発明を解釈するためのものである。図面において、
【図１】本発明の実施例による選択可能なメッセージ交換方法の適用環境の概略図である。
【図２】本発明の実施例による選択可能なメッセージ交換方法の概略フロ一チャートである。
【図３】本発明の実施例による選択可能なメッセージ交換方法の概略図である。
【図４】本発明の実施例による他の選択可能なメッセージ交換方法の概略図である。
【図５】本発明の実施例によるさらに他の選択可能なメッセージ交換方法の概略図である。
【図６】本発明の実施例による他の選択可能メッセージ交換方法の概略フロ一チャートである。
【図７】本発明の実施例によるさらに他の選択可能なメッセージ交換方法の概略図である。
【図８】本発明の実施例によるさらに他の選択可能なメッセージ交換方法の概略図である。
【図９】本発明の実施例によるさらに他の選択可能なメッセージ交換方法の概略図である。
【図１０】本発明の実施例によるさらに他の選択可能なメッセージ交換方法の概略フローチャートである。
【図１１】本発明の実施例によるさらに他の選択可能なメッセージ交換方法の概略図である。
【図１２】本発明の実施例による選択可能なメッセージ交換装置の概略構成図である。
【図１３】本発明の実施例による他の選択可能なメッセージ交換装置の概略構成図である。
【図１４】本発明の実施例によるさらに他の選択可能なメッセージ交換装置の概略構成図である。
【図１５】本発明の実施例による選択可能な電子装置の概略構成図である。
【図１６】本発明の実施例による他の選択可能な電子装置の概略構成図である。
【図１７】本発明の実施例によるさらに他の選択可能な電子装置の概略構成図である。
【発明を実施するための形態】
【００３１】
当業者が本発明の技術案をよりよく理解するために、以下、本発明の実施例の図面を参照して、本発明の実施例の技術案を明確且つ完全に記載し、明らかに、記載された実施例は全ての実施例ではなく、本発明の一部の実施例のみである。本発明の実施例に基づいて、創造的な作業なし当業者によって得られた他の全ての実施例は、本発明の保護範囲に属している。
【００３２】
なお、本発明の明細書、請求の範囲、及び上記の図面における「第１」、「第２」という用語などが、類似のオブジェクトを区別するために使用され、特定の順序又は前後順番を説明するために必ずしも使用されないことに留意されたい。このように使用されるデータは、本明細書で説明される本発明の実施例が、本明細書に図示又は記載される順序以外の順序で実施され得るように、適切な状況で互いに置き換えられることができることが理解されるべきである。また、「含む」、「有する」という用語、及びこれらの任意の変形は、非排他的な包含をカバーすることを意図しており、例えば、一連のステップ又はユニットを含む過程、方法、システム、製品又は機器は、必ずしも明確に挙げられたステップ又はユニットに限定されず、明確に挙げられていない、又はこれらの過程、方法、製品又は機器に固有の他のステップ又はユニットを含んでもよい。
【００３３】
本発明の実施例の１つの態様によれば、メッセージ交換方法を提供し、好ましくは、１つの選択可能な実施形態として、前記メッセージ交換方法は、図１に示される環境に適用されてもよいが、これに限定されていない。
【００３４】
ユーザ１０２はユーザ機器１０４との間でマンマシンインタラクションを実行でき、ユーザ１０６はユーザ機器１０８との間でマンマシンインタラクションを実行でき、ユーザ１１０はユーザ機器１１２との間でマンマシンインタラクションを実行でき、ユーザ１１４はユーザ機器１１６との間でデータ交換を実行できる。ユーザ１０２とユーザ１０６は第１オブジェクトセットを構成し、ユーザ１１０とユーザ１１６は第２オブジェクトセットを構成する。サーバ１２０はデータベース１２２と帳消しエンジン１２４とを含み、サーバ１２０はステップＳ１０２を介してネットワーク１１８によってユーザ機器１０４から送信された請求書作成リクエストを受信し、サーバ１２０は請求書作成リクエストに応答して、ターゲット請求書を生成し、ステップＳ１０４を介してターゲット請求書をユーザ機器１０４、ユーザ機器１０８、ユーザ機器１１２及びユーザ機器１１６に送信し、それにより、ユーザ１０２とユーザ１０６はターゲット請求書に従って、仮想リソースを転送し、ユーザ１１０とユーザ１１６はターゲット請求書に従って、仮想リソースを受信する。転送された仮想リソースの合計値が受信された仮想リソースの合計値に等しい場合、サーバ１２０は、ターゲット請求書の帳消しが完成したことを指示する。
【００３５】
なお、関連技術において、複数の人が関与する仮想リソースのリソース値の転送問題に関し、関与者が多く、転送過程が複雑な場合、仮想リソースのリソース値の転送を完成するために、複雑な操作が必要になる。本実施例において、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送するので、第１オブジェクトセットと第２オブジェクトセットのうちの全てのオブジェクトが１回の操作を介して仮想リソースの転送を完成できるという目的を実現し、これにより、仮想リソース転送の効率を向上させる。
【００３６】
なお、上記のメッセージ交換方法は、データを計算できる端末に適用されてもよいが、これに限定されないことに留意されたい。上記のユーザ機器１０４、ユーザ機器１０８、ユーザ機器１１２、ユーザ機器１１６は携帯電話、タブレット、ラップトップ、パソコンなどの端末であってもよいが、これらに限定されていない。上記のネットワークは、無線ネットワーク又は有線ネットワークが含まれてもよいが、これらに限定されていない。当該無線ネットワークは、ＷＩＦＩ及び無線通信を実現する他のネットワークを含む。上記の有線ネットワークは、広域ネットワーク、メトロポリタンエリアネットワーク、ローカルエリアネットワークが含まれるが、これらに限定されていない。上記のサーバ１２０はデータを計算できる任意のハードウエア機器であってもよいが、これに限定されていない。
【００３７】
好ましくは、１つの選択可能な実施形態として、図２に示すように、上記のメッセージ交換方法は上記のサーバによって実施され、当該方法は、以下のステップを含む。
ステップＳ２０２は、グループセッションによって開始される請求書作成リクエストを受信する。
【００３８】
本出願の実施例は、請求書作成リクエストを開始する具体的な開始位置を限定していなく、グループセッションによって開始さればよい。
【００３９】
可能な実現方式において、当該請求書作成リクエストは、グループセッションのセッションウインドウによって開始されてもよい。
【００４０】
ステップＳ２０４は、請求書作成リクエストに応答して、ターゲット請求書を生成し、ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値は受信対象となる仮想リソースのリソース合計値に等しく、第１オブジェクトセットに含まれたオブジェクトと第２オブジェクトセットに含まれたオブジェクトがグループセッションにある。
【００４１】
ステップＳ２０６は、第１オブジェクトセットに含まれたオブジェクトがターゲット請求書に記録された転送対象となる仮想リソースのリソース値に従って、仮想リソース転送操作を実行し、第２オブジェクトセットに含まれたオブジェクトがターゲット請求書に記録された受信対象となる仮想リソースのリソース値に従って、仮想リソース受信操作を実行するように、ターゲット請求書を第１オブジェクトセットに含まれたオブジェクトと第２オブジェクトセットに含まれたオブジェクトに送信する。
【００４２】
ステップＳ２０８は、第１オブジェクトセットによって転送された仮想リソースのリソース値がターゲット請求書に記録された転送対象となる仮想リソースのリソース合計値に達し、且つ第２オブジェクトセットによって受信された仮想リソースのリソース値がターゲット請求書に記録された受信対象となる仮想リソースのリソース合計値に達した場合、ターゲット請求書の帳消しが完成したことを指示する。
【００４３】
好ましくは、上記のメッセージ交換方法は、複数人のセッションの複数人の振込分野、又は個人の複数のアカウントの間の資産譲渡過程、或いは市場において複数人が参加する物品の売買過程、又はゲーム分野でのマルチプレイヤーゲームの資産譲渡過程に適用されてもよいが、これらに限定されていない。
【００４４】
好ましくは、上記のグループセッションは、複数人が参加するセッションであってもよいが、これに限定されていない。前記メッセージ交換方法を複数人のセッションの複数人の振込分野に適用することを例として説明する。前記複数人のセッションはグループセッションであってもよいが、これに限定されていない。グループセッションのうちのあるオブジェクトは請求書作成リクエストを開始し、請求書作成リクエストに仮想リソース値を転送する第１オブジェクトセットと、仮想リソースを受信する第２オブジェクトセットが記録される。第１オブジェクトセットに含まれるオブジェクトは第２オブジェクトセットに含まれるオブジェクトと重複していない。第１オブジェクトセットのうちの全てのオブジェクトはターゲット請求書に従って、仮想リソースを転送し、サーバは、前記転送された仮想リソースを受信し、ターゲット請求書に従って、上記の転送された仮想リソースを第２オブジェクトセットのうちの全てのオブジェクトに送信する。
【００４５】
例えば、請求書作成リクエストを開始するオブジェクトは第１オブジェクトセットと第２オブジェクトセットに含まれていないことを例として、図３に示すように、端末３０２は、請求書処理リクエストを取得した後、ステップＳ３０２を介して前記仮想リソース転送リクエストをサーバ３０４に送信することで、サーバ３０４は請求書処理リクエストに従って、ターゲット請求書を生成する。そして、ステップＳ３０４を介してターゲット請求書を第１メンバオブジェクトセット３０６に送信する。第１メンバオブジェクトセット３０６はステップＳ３０６を介して仮想リソースをサーバ３０４に送信し、サーバ３０４からステップＳ３０８を介して仮想リソースを第２メンバオブジェクトセット３０８に転送する。
【００４６】
上記のサーバ３０４は、サーバ機能を提供できる任意のハードウエア機器であってもよいが、これに限定されず、又は、上記のサーバ３０４は、代わりに、サーバが構築された端末機器であってもよいが、これに限定されていない。例えば、端末機器にはサーバ３０４が構築され、端末機器から前記サーバ３０４によって提供される機能を提供する。
【００４７】
本実施例の方法によれば、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送するので、第１オブジェクトセットと第２オブジェクトセットのうちの全てのオブジェクトが１回の操作を介して仮想リソースの転送を完成できるという目的を実現し、それにより、仮想リソース転送の操作が簡素化され、請求書に対する処理効率を向上させる。
【００４８】
好ましくは、前記請求書作成リクエストは、第１オブジェクトセットのうちのオブジェクトによってトリガーされ、又は、第２オブジェクトセットのうちのオブジェクトによってトリガーされ、或いは、グループセッションのうちの他のオブジェクトによってトリガーされてもよいが、これらに限定されていない。その中、他のオブジェクトは第１オブジェクトセットと第２オブジェクトセットに属していない。つまり、開始された請求書処理リクエストのうちのターゲット請求書には開始者が含まれてもよく、含まれていなくてもよい。
【００４９】
例えば、前記メッセージ交換方法が複数人のセッションの複数人の振込分野に適用されることを例とする。図４に示すように、グループセッションには、それぞれオブジェクトＡ、オブジェクトＢ、オブジェクトＣ、オブジェクトＤ、オブジェクトＥという５人のオブジェクトが含まれる。前記５人のうちのオブジェクトＡ、オブジェクトＢ、オブジェクトＣ、オブジェクトＤは複数人の振込をする必要があるが、オブジェクトＥは複数人の振込をする必要がない。この場合、オブジェクトＡ、オブジェクトＢ、オブジェクトＣ、オブジェクトＤのうちのいずれかは、請求書作成リクエストを開始することができ、サーバは、請求書作成リクエストを受信した後、ターゲット請求書を生成する。例えば、ターゲット請求書において、オブジェクトＡとオブジェクトＢは第１オブジェクトセットのうちのオブジェクトであり、オブジェクトＣ、オブジェクトＤは第２オブジェクトセットのうちのオブジェクトである。又は、オブジェクトＥは請求書作成リクエストを開始し、サーバは、請求書作成リクエストを受信した後、ターゲット請求書を生成し、例えば、ターゲット請求書において、オブジェクトＡとオブジェクトＢは第１オブジェクトセットのうちのオブジェクトであり、オブジェクトＣ、オブジェクトＤは第２オブジェクトセットのうちのオブジェクトである。
【００５０】
好ましくは、サーバが、ターゲット請求書の帳消しが完成したことを指示する場合、第１オブジェクトセットと第２オブジェクトセットのうちのオブジェクトに請求書帳消しメッセージを送信してもよいが、これに限定されず、前記請求書帳消しメッセージは、ターゲット請求書の帳消しが既に完成したことを示すために使用される。請求書作成リクエストを開始したオブジェクト、又は第１オブジェクトセットと第２オブジェクトセットのうちの任意のオブジェクトがその後でチェックできるように、サーバは当該請求書の処理結果を保存することができる。
【００５１】
好ましくは、サーバが受信した請求書作成リクエストは、グループセッションのうちのいずれか１つのオブジェクトがクライアントを操作することで生成されてもよいが、これに限定されていない。例えば、グループセッションのうちのいずれか１つのオブジェクトはグループセッションのセッションウインドウにおけるボタンをクリックしたり、グループセッションのうちのいずれか１つのオブジェクトは、シェイク、タッチパネルでの所定のジェスチャーのトリガーなどのクライアントへの所定の命令を開始したりする。クライアントは上記の命令を受信した後、請求書作成インタフェースに入り、請求書が作成された後、サーバへの請求書作成リクエストを開始する。
【００５２】
例えば、セッションウインドウにボタンを配置することを例として、ボタンが押されたと、クライアントはサーバへの請求書作成リクエストを開始する。図５に示すように、図５は４つの表示インタフェースａ、ｂ、ｃ、ｄを含む。図５ａにはオブジェクトＡ、オブジェクトＢ、オブジェクトＣ、オブジェクトＤのチャット記録が表示され、オブジェクトＡ、オブジェクトＢ、オブジェクトＣ、オブジェクトＤ、及びオブジェクトＥは１つのグループセッションを構成し、オブジェクトＥは現在話していない。図５ａの表示インタフェースには請求書開始ボタン５０２が表示され、請求書開始ボタン５０２が押されたと、画面は、図５ｂの表示インタフェースにジャンプする。図５ｂには、第１オブジェクトセットを選択するための選択ボタン５０４−１、選択された第１オブジェクトセットを削除するための削除ボタン５０４−２、第２オブジェクトセットを選択するための選択ボタン５０６−１、選択された第２オブジェクトセットを削除するための削除ボタン５０６−２が表示される。図５ｂにおける選択ボタン５０４−１又は選択ボタン５０６−１が押されたと、図５ｃに示す画面にジャンプする。図５ｃには現在グループセッションのうちの全てのメンバが表示され（他の例示として、図５ｃにグループセッションのうちの全てのメンバが表示される際、請求書の開始者が表示されていなくてもよい）、各グループセッションのうちのメンバは、１つの選択標識５０８に対応し、端末は選択標識５０８が押されたことを受信したと、選択標識５０８に対応するグループセッションのうちのメンバを選定し、図５ｃにおけるオブジェクトＡとオブジェクトＢが選定される。図５ｃにおけるキャンセルキー５１０−２は押されたと、今回の選択をキャンセルし、図５ｂが表示するインタフェース、又は図５ａが表示するインタフェースに戻る。図５ｃにおける決定ボタン５１０−１は押されたと、前記選定されたオブジェクトＡとオブジェクトＢとは第１オブジェクトセット又は第２オブジェクトセットのうちのメンバとする。第１オブジェクトセットのうちのメンバと第２オブジェクトセットのうちのメンバを決定し、且つ各々メンバが取得又は支払うべきの仮想リソースのリソース値を決定した後、図５ｄに示されるインタフェースを表示し、インタフェースにはオブジェクトＡ、オブジェクトＢ、オブジェクトＣ、オブジェクトＤが収入、支出すべきの仮想リソースの仮想値、及び決定キー５１２−１、キャンセルキー５１２−２が表示される。決定キー５１２−１が押されたと、請求書を開始し、キャンセルボタン５１２−２は押されたと、請求書の開始をキャンセルする。
【００５３】
本実施例の方法によれば、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送することで、第１オブジェクトセットと第２オブジェクトセットのうちの全てのオブジェクトが１回の操作を介して仮想リソースの転送を完成できるという目的を実現し、それにより、仮想リソースの転送操作が簡素化され、請求書に対する処理効率を向上させる。
【００５４】
１つの選択可能な実施案として、ターゲット請求書を第１オブジェクトセットに含まれたオブジェクトと第２オブジェクトセットに含まれたオブジェクトに送信することは、
（１）ターゲット請求書を同時に第１オブジェクトセットに含まれたオブジェクトと第２オブジェクトセットに含まれたオブジェクトに送信するステップ、又は、
（２）ターゲット請求書を非同期的に第１オブジェクトセットに含まれたオブジェクトと第２オブジェクトセットに含まれたオブジェクトに送信するステップ、を含む。
【００５５】
好ましくは、サーバがターゲット請求書を生成した後、ターゲット請求書を同期的又は非同期的に第１オブジェクトセットと第２オブジェクトセットのうちのオブジェクトに送信してもよいが、これらに限定されていない。
【００５６】
例えば、サーバが請求書作成リクエストを受信してターゲット請求書を生成した後、生成されたターゲット請求書を第１オブジェクトセットと第２オブジェクトセットのうちのオブジェクトにすぐ又はある予め設定された時間に送信するか、又は、サーバはまずターゲット請求書を第１オブジェクトセットのうちのオブジェクトに送信し、次にターゲット請求書を第２オブジェクトセットのうちのオブジェクトに送信するか、又はサーバはまずターゲット請求書を第２オブジェクトセットのうちのオブジェクトに送信し、次にターゲット請求書を第１オブジェクトセットのうちのオブジェクトに送信してもよいが、これらに限定されていない。
【００５７】
例えば、引き続いて、グループセッションにはオブジェクトＡ、オブジェクトＢ、オブジェクトＣ、オブジェクトＤ、オブジェクトＥという５人のオブジェクトが含まれることを例として、サーバはオブジェクトＡから送信された請求書作成リクエストを受信し、サーバは請求書作成リクエストに基づいてターゲット請求書を生成し、ターゲット請求書は、オブジェクトＡとオブジェクトＢが仮想リソースをオブジェクトＣとオブジェクトＤに転送する必要があることを示し、即ち、オブジェクトＡとオブジェクトＢは第１オブジェクトセットを構成し、オブジェクトＣとオブジェクトＤは第２オブジェクトセットを構成する。サーバはまずターゲット請求書をオブジェクトＡとオブジェクトＢに送信し、次にターゲット請求書をオブジェクトＣとオブジェクトＤに送信する。又は、サーバはターゲット請求書を同時にオブジェクトＡとオブジェクトＢ、及びオブジェクトＣとオブジェクトＤに送信する。
【００５８】
本実施例によれば、サーバはターゲット請求書を同期的又は非同期的に第１オブジェクトセットと第２オブジェクトセットのうちのオブジェクトに送信することで、仮想リソース転送の効率を確保しつつ、仮想リソースの転送の柔軟性を向上させる。
【００５９】
１つの選択可能な実施案として、ターゲット請求書を非同期的に第１オブジェクトセットに含まれたオブジェクトと第２オブジェクトセットに含まれたオブジェクトに送信することは、
（１）第１オブジェクトセットに含まれたオブジェクトにターゲット請求書を送信するステップであって、第１オブジェクトセットによって転送された仮想リソースのリソース値が転送対象となる仮想リソースのリソース合計値に達した場合、第２オブジェクトセットに含まれたオブジェクトにターゲット請求書を送信するステップ、又は、
（２）第２オブジェクトセットに含まれたオブジェクトにターゲット請求書を送信するステップであって、第２オブジェクトセットによって受信された仮想リソースのリソース値が受信対象となる仮想リソースのリソース合計値に達した場合、第１オブジェクトセットに含まれたオブジェクトにターゲット請求書を送信するステップ、を含む。
【００６０】
例えば、引き続いて、グループセッションにはオブジェクトＡ、オブジェクトＢ、オブジェクトＣ、オブジェクトＤ、オブジェクトＥという５人のオブジェクトが含まれることを例として、オブジェクトＡとオブジェクトＢは第１オブジェクトセットを構成し、オブジェクトＣとオブジェクトＤは第２オブジェクトセットを構成する。サーバはまずターゲット請求書をオブジェクトＡとオブジェクトＢに送信し、オブジェクトＡとオブジェクトＢは仮想リソースを転送する。オブジェクトＡとオブジェクトＢが仮想リソースの転送を完成した後、サーバはオブジェクトＡとオブジェクトＢによって転送された仮想リソースを受信する。そして、ターゲット請求書をオブジェクトＣとオブジェクトＤに送信し、オブジェクトＣとオブジェクトＤが仮想リソースを受信する。又は、サーバはまずターゲット請求書をオブジェクトＣとオブジェクトＤに送信し、オブジェクトＣとオブジェクトＤは先に仮想リソースを受信し、オブジェクトＣとオブジェクトＤが仮想リソースを受信した後、サーバはターゲット請求書をオブジェクトＡとオブジェクトＢに送信し、オブジェクトＡとオブジェクトＢは仮想リソースを転送する。
【００６１】
なお、オブジェクトＣとオブジェクトＤが先に仮想リソースを受信する場合、仮想リソースライブラリを事前に構築する必要があり、仮想リソースライブラリには一定の仮想リソースが含まれる。仮想リソースライブラリにおける仮想リソースをオブジェクトＣとオブジェクトＤに割り当て、そして、オブジェクトＡとオブジェクトＢによって転送された仮想リソースは仮想リソースライブラリに入力される。また、オブジェクトＣとオブジェクトＤが先に仮想リソースを受信する場合、オブジェクトＣとオブジェクトＤによって受信された仮想リソースは、オブジェクトＡとオブジェクトＢが仮想リソースを転送しない場合に、取り戻されることができる。
【００６２】
本実施例によれば、前記方法を利用して、第１オブジェクトセットと第２オブジェクトセットにターゲット請求書を送信することで、ターゲット請求書の送信タイミングを柔軟に選択することができ、このように、仮想リソース転送の効率を確保しつつ、ターゲット請求書の送信の柔軟性を向上させる。
【００６３】
１つの選択可能な実施案として、ターゲット請求書を第１オブジェクトセットに含まれたオブジェクトと第２オブジェクトセットに含まれたオブジェクトに送信した後、さらに、
（１）第１オブジェクトセットに含まれたオブジェクトによってターゲット請求書に記録された仮想リソースのリソース値に従って転送された仮想リソースを受信し、ターゲット請求書に記録された仮想リソースのリソース値に従って、第２オブジェクトセットに含まれたオブジェクトに仮想リソースを転送するステップ、又は、
（２）第１オブジェクトセットに含まれたオブジェクトによってターゲット請求書に記録された仮想リソースのリソース値に従って転送された仮想リソースを受信し、第１オブジェクトセットによって転送された仮想リソースのリソース値がターゲット請求書に記録された転送対象となる仮想リソースのリソース合計値に達した場合、ターゲット請求書に記録された仮想リソースのリソース値に従って、第２オブジェクトセットに含まれたオブジェクトに仮想リソースを転送するステップ、又は、
（３）ターゲット請求書に記録された仮想リソースのリソース値に従って、第２オブジェクトセットに含まれたオブジェクトに仮想リソースを転送し、第２オブジェクトセットによって受信された仮想リソースのリソース値がターゲット請求書に記録された受信対象となる仮想リソースのリソース合計値に達した場合、第１オブジェクトセットに含まれたオブジェクトによってターゲット請求書に記録された仮想リソースのリソース値に従って転送された仮想リソースを受信するステップ、を含む。
【００６４】
好ましくは、第１オブジェクトセットのうちのオブジェクトが仮想リソースを転送する過程では、第２オブジェクトセットのうちのオブジェクトが仮想リソースを受信する。例えば、第１オブジェクトセットのうちの一部のオブジェクトが仮想リソースを転送し、一部のオブジェクトがまだ仮想リソースを転送していない場合、サーバは、転送された仮想リソースを第２オブジェクトセットのうちの一部のオブジェクトに割り当てる。
【００６５】
転送された仮想リソースを第２オブジェクトセットのうちの一部のオブジェクトに割り当てる場合、割当の順序は、第２オブジェクトセットのうちのオブジェクトが受信すべき仮想リソースの数に応じて决定できる。
【００６６】
又は、第１オブジェクトセットのうちの全てのオブジェクトがリソースの転送を完成した後、サーバは、受信された全ての仮想リソースを第２オブジェクトセットのうちの全てのオブジェクトに転送する。
【００６７】
又は、第２オブジェクトセットのうちの全てのオブジェクトが仮想リソースを受信した後、サーバは、ターゲット請求書に従って、第１オブジェクトセットのうちの全てのオブジェクトから仮想リソースを受け取る。
【００６８】
本実施例によれば、前記方法を利用して、第１オブジェクトセットのうちのオブジェクトによって転送された仮想リソースを転送するとともに、第２オブジェクトセットのうちのオブジェクトに仮想リソースを送信することで、仮想リソース転送の効率を確保しつつ、仮想リソースの転送の柔軟性を向上させる。
【００６９】
１つの選択可能な実施案として、第１オブジェクトセットに含まれたオブジェクトによってターゲット請求書に記録された仮想リソースのリソース値に従って転送された仮想リソースを受信し、ターゲット請求書に記録された仮想リソースのリソース値に従って、第２オブジェクトセットに含まれたオブジェクトに仮想リソースを転送することは、
第１オブジェクトセットから受信された仮想リソースのリソース値が第１リソース値に達し、且つ、第１リソース値が前記第２オブジェクトセットのうちのターゲットオブジェクトの受信対象となる仮想リソースのリソース値以上である場合、ターゲットオブジェクトの受信対象となる仮想リソースのリソース値に従って、第１オブジェクトセットから受信した仮想リソースから、仮想リソースを差し引き、ターゲットオブジェクトの受信対象となる仮想リソースのリソース値に従って、ターゲットオブジェクトに仮想リソースを転送するステップＳ１、を含む。
【００７０】
好ましくは、サーバが受信した第１オブジェクトセットによって転送された仮想リソースのリソース値が、第２オブジェクトセットのうちのオブジェクトが受信すべき仮想リソースのリソース値よりも大きい場合、サーバは、余分な部分を差し引き、差し引かれた後の仮想リソースを第２オブジェクトセットのうちのオブジェクトに転送する。その同時に、ターゲット請求書に従って、差し引かれた余分な仮想リソースを第１オブジェクトセットのうちのオブジェクトに返却する。
【００７１】
本実施例によれば、受信された、第１オブジェクトセットのうちのオブジェクトによって転送された仮想リソースのリソース値が、第２オブジェクトセットのうちのオブジェクトが受信すべき仮想リソースのリソース値を超えた場合、第２オブジェクトセットのうちのターゲットオブジェクトが受信すべき仮想リソースのリソース値に従って、仮想リソースを転送することで、仮想リソース転送の効率を確保しつつ、仮想リソースの転送の正確性を向上させる。
【００７２】
１つの選択可能な実施案として、ターゲット請求書を第１オブジェクトセットに含まれたオブジェクトと第２オブジェクトセットに含まれたオブジェクトに送信した後、さらに、
第１オブジェクトセットに含まれたオブジェクトによって送信された第１請求書確認命令を受信するステップＳ１であって、第１請求書確認命令が、ターゲット請求書における第１オブジェクトセットに含まれたオブジェクトが転送対象となる仮想リソースを確認したことを指示するために使用されるステップＳ１と、
第２オブジェクトセットに含まれたオブジェクトによって送信された第２請求書確認命令を受信するステップＳ２であって、第２請求書確認命令が、ターゲット請求書における第２オブジェクトセットに含まれたオブジェクトが受信対象となる仮想リソースを確認したことを指示するために使用されるステップＳ２と、を含む。
【００７３】
好ましくは、第１オブジェクトセットのうちのオブジェクトが仮想リソースを転送する場合、さらに、確認命令をサーバに送信する必要があり、前記確認命令は、第１オブジェクトセットのうちのオブジェクトが転送対象となる仮想リソースを照合し、仮想リソースを第２オブジェクトセットのうちのオブジェクトに転送することに同意したことを確認するために使用される。
【００７４】
第２オブジェクトセットのうちのオブジェクトが仮想リソースを転送する場合、さらに、確認命令をサーバに送信する必要があり、前記確認命令は、第２オブジェクトセットのうちのオブジェクトが既に受信対象となる仮想リソースを照合し、仮想リソースを受信することに同意したことを確認するために使用される。
【００７５】
本実施例によれば、第１オブジェクトセットのうちのオブジェクトによって送信された第１請求書確認命令と、第２オブジェクトセットのうちのオブジェクトによって送信された第２請求書確認命令を受信することで、仮想リソース転送の効率を確保しつつ、仮想リソースの転送の正確性を向上させる。
【００７６】
なお、上記の各方法の実施例について、説明を簡単にするために、一連の動作の組み合わせとして表現されるが、当業者に知られているように、本発明は、説明された動作順序に限定されず、なぜならば、本発明によれば、いくつかのステップは他の順序で又は同時に実行することができるからである。そして、当業者は、明細書に記載の実施例が全て好適な実施例であり、関与する動作及びモジュールが、必ずしも本発明にとって必要なものではないことも知っておくべきである。
【００７７】
本発明の実施例の他の態様によれば、メッセージ交換方法をさらに提供し、選択可能な例示として、図６に示すように、前記メッセージ交換方法はユーザ機器によって実施されることができ、本実施例において、ターゲットオブジェクトは当該メッセージ交換において仮想リソースを転送するオブジェクトであってもよく、当該ターゲットオブジェクトは、当該ユーザ機器におけるクライアントにログインすることで、前記仮想リソースを転送することができる。
【００７８】
当該方法は、以下のステップを含み、
ステップＳ６０２は、ターゲットオブジェクトの所在するグループセッションのセッションウインドウに、ターゲット請求書の請求書情報を表示するステップであって、処理対象となるターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値は受信対象となる仮想リソースのリソース合計値に等しく、第１オブジェクトセットに含まれたオブジェクトと第２オブジェクトセットに含まれたオブジェクトがグループセッションにあり、ターゲットオブジェクトは第１オブジェクトセットにある。
【００７９】
ステップＳ６０４は、ターゲット請求書に記録されたターゲットリソース値に従って、仮想リソース転送操作を実行するステップである。前記ターゲットリソース値は前記ターゲットオブジェクトの転送対象となる仮想リソースを識別し、即ち、転送対象となる仮想リソースのリソース値を表現する。
【００８０】
ステップＳ６０６は、第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、請求書帳消しメッセージを表示するステップであって、請求書帳消しメッセージは、ターゲット請求書の帳消し処理が既に完成したことを示すために使用される。
【００８１】
好ましくは、前記メッセージ交換方法は、複数人のセッションの複数人の振込分野、又は個人の複数のアカウントの間の資産譲渡過程、或いは市場において複数人が参加する物品の売買過程、又はゲーム分野でのマルチプレイヤーゲームの資産譲渡過程に適用されてもよいが、これらに限定されていない。
【００８２】
好ましくは、前記グループセッションは、複数人が参加するセッションであってもよいが、これに限定されていない。前記メッセージ交換方法を複数人のセッションの複数人の振込分野に適用することを例として説明する。前記複数人のセッションはグループセッションであってもよいが、これに限定されていない。グループセッションのうちのあるオブジェクトは請求書作成リクエストを開始し、請求書作成リクエストに仮想リソース値を転送する第１オブジェクトセットと、仮想リソースを受信する第２オブジェクトセットが記録される。第１オブジェクトセットに含まれるオブジェクトは第２オブジェクトセットに含まれるオブジェクトと重複していない。第１オブジェクトセットのうちの全てのオブジェクトはターゲット請求書に従って、仮想リソースを転送し、サーバは、前記転送された仮想リソースを受信し、ターゲット請求書に従って、前記転送された仮想リソースを第２オブジェクトセットのうちの全てのオブジェクトに送信する。
【００８３】
好ましくは、前記請求書帳消しメッセージはサーバによって送信されてもよいが、これに限定されていない。前記サーバは、サーバ機能を提供できる任意のハードウエア機器であってもよいが、これに限定されず、又は、前記サーバは、代わりに、サーバが構築された端末機器であってもよいが、これに限定されていない。例えば、端末機器にサーバが構築され、端末機器から前記サーバによって提供される機能を提供する。
【００８４】
本実施例によれば、請求書作成リクエストを取得した後、ターゲット請求書を生成し、ターゲット請求書に従って、第１オブジェクトセットのうちの全てのオブジェクトから仮想リソースを取得し、仮想リソースを第２オブジェクトセットのうちの全てのオブジェクトに転送することで、第１オブジェクトセットと第２オブジェクトセットのうちの全てのオブジェクトが１回の操作を介して仮想リソースの転送を完成できるという目的を実現し、それにより、仮想リソース転送操作が簡素化され、請求書に対する処理効率を向上させる。
【００８５】
１つの選択可能な実施案として、ターゲットオブジェクトの所在するグループセッションのセッションウインドウに処理対象となるターゲット請求書の請求書情報を表示することは、
（１）グループセッションのセッションウインドウにターゲット請求書の請求書記録を表示するステップであって、グループセッションのうちの第１オブジェクトセット及び第２オブジェクトセットに含まれたオブジェクトに、ターゲット請求書をチェックするチェック権限が配置されるステップと、
（２）グループセッションのセッションウインドウに、ターゲット請求書が生成されたことを提示するための提示情報を表示し、ターゲットオブジェクトのために単独で作成されるターゲットセッションのセッションウインドウに、ターゲット請求書の請求書記録を表示するステップと、のうちの１つを含む。
【００８６】
好ましくは、前記請求書記録は、第１オブジェクトセットのうちのオブジェクトが仮想リソースを転送する記録、及び／又は第２オブジェクトセットのうちのオブジェクトが仮想リソースを受信する記録であってもよいが、これらに限定されていない。前記記録はグループセッションのセッションウインドウに表示されてもよく、ターゲットオブジェクトのために単独で作成されるセッションウインドウに表示されてもよい。
【００８７】
前記記録は権限を持つオブジェクトのみに見られ、例えば、第１オブジェクトセットのうちのオブジェクト、第２オブジェクトセットのうちのオブジェクト、及びターゲット請求書リクエストを開始するオブジェクトに対して権限を配置する。他のグループセッションのうちのオブジェクトは見えない。
【００８８】
例えば、前記記録をグループセッションのセッションウインドウに表示することを例として、図７に示すように、図７は選択可能なグループセッションのセッションウインドウである。グループセッションのセッションウインドウには、ターゲット請求書のショートカットインタフェース７０２と、仮想リソースを転送又は受信する請求書記録７０４とが表示される。ターゲット請求書のショートカットインタフェース７０２がクリックされたと、仮想リソースを転送するページ又は仮想リソースを受信するページにジャンプする。
【００８９】
本実施例によれば、グループセッションウインドウにターゲット請求書の請求書記録を表示するか、又は、単独で作成されたターゲットセッションのセッションウインドウにターゲット請求書の請求書記録を表示することで、仮想リソース転送の効率を確保しつつ、ターゲット請求書の請求書記録の表示効率を向上させる。
【００９０】
１つの選択可能な実施案として、ターゲット請求書に記録されたターゲットオブジェクトの転送対象となる仮想リソースのターゲットリソース値に従って、仮想リソース転送操作を実行することは、
グループセッションのセッションウインドウに表示される第１操作パネルに対して操作を実行することによって生成された第１転送命令を取得するステップＳ１と、
第１転送命令に応答して、ターゲットオブジェクトに関連付けられたリソースライブラリから、ターゲットリソース値に対応するターゲット仮想リソースを取得し、ターゲット仮想リソースをサーバに転送するステップＳ２と、
グループセッションのセッションウインドウに、第１転送結果メッセージを表示するステップＳ３であって、第１転送結果メッセージが、ターゲットオブジェクトによってターゲット仮想リソースが転送された後の転送結果を指示するために使用されるステップＳ３と、を含む。
【００９１】
例えば、図８に示すように、図８は、選択可能なグループセッションのセッションウインドウの表示インタフェースである。セッションウインドウには、第１転送命令をトリガーするためのボタン８０２が設けられる。セッションウインドウに、ターゲットオブジェクトが３０元を支払う必要があることが表示される。ボタン８０２がトリガーされたと、クライアントは仮想リソースの転送を完成し、セッションウインドウに、支払い成功のメッセージが表示される。
【００９２】
本実施例によれば、第１転送命令に応答して、ターゲットオブジェクトに関連付けられたリソースライブラリからターゲットリソース値に対応するターゲット仮想リソースを取得し、ターゲット仮想リソースをサーバに転送し、第１転送結果メッセージを表示することで、仮想リソース転送の効率を向上させる。
【００９３】
１つの選択可能な実施案として、ターゲット請求書に記録されたターゲットオブジェクトの転送対象となる仮想リソースのターゲットリソース値に従って、仮想リソース転送操作を実行することは、
ターゲットセッションのセッションウインドウに表示される第２操作パネルに対して操作を実行することによって生成された第２転送命令を取得するステップＳ１と、
第２転送命令に応答して、ターゲットオブジェクトに関連付けられたリソースライブラリから、ターゲットリソース値に対応するターゲット仮想リソースを取得し、ターゲット仮想リソースをサーバに転送するステップＳ２と、
ターゲットセッションのセッションウインドウに、第２転送結果メッセージを表示するステップＳ３であって、第２転送結果メッセージが、ターゲットオブジェクトによってターゲット仮想リソースが転送された後の転送結果を指示するために使用されるステップＳ３と、を含む。
【００９４】
例えば、図９に示すように、図９は、選択可能なターゲットセッションのセッションウインドウである。ターゲットセッションのセッションウインドウには、開始された履歴請求書が記録される。ターゲットオブジェクトは、そのうちのいずれか１つの請求書を選択して支払うことができ、支払いが完成した後、セッションウインドウに、支払いが完成したというメッセージが表示される。
【００９５】
本実施例によれば、第２転送命令に応答して、ターゲットオブジェクトに関連付けられたリソースライブラリから、ターゲットリソース値に対応するターゲット仮想リソースを取得し、ターゲット仮想リソースをサーバに転送し、第２転送結果メッセージを表示することで、仮想リソースの転送効率を向上させる。
【００９６】
１つの選択可能な実施案として、ターゲット請求書に記録されたターゲットオブジェクトの転送対象となる仮想リソースのターゲットリソース値に従って、仮想リソース転送操作を実行する前に、さらに、
請求書確認命令を取得するステップＳ１であって、請求書確認命令が、ターゲット請求書におけるターゲットオブジェクトの転送対象となる仮想リソースのターゲットリソース値を確認するために使用されるステップＳ１と、
請求書確認命令をサーバに送信するステップＳ２と、
サーバによって送信された操作提示メッセージを受信するステップＳ３であって、操作提示メッセージが、ターゲットオブジェクトに対して仮想リソース転送操作を実行することが許可されていることを提示するために使用されるステップＳ３と、を含む。
【００９７】
好ましくは、ターゲットオブジェクトが請求書を支払う前に、さらに、請求書の開始者、請求書の開始時間、請求書金額、支払い期限などの請求書情報を照合する必要がある。前記メッセージを照合した後、請求書確認命令を送信する。クライアントは、請求書確認命令を受信した後、請求書確認命令をサーバに送信し、サーバは、請求書確認命令を受信した後にのみ、仮想リソースを転送することができる。
【００９８】
本実施例によれば、請求書確認命令を取得し、請求書確認命令に従って、仮想リソース転送操作を実行することで、仮想リソース転送の効率を確保しつつ、仮想リソースの転送の安全性を向上させる。
【００９９】
１つの選択可能な実施案として、ターゲットオブジェクトの所在するグループセッションのセッションウインドウに、処理対象となるターゲット請求書の請求書情報を表示することは、
（１）ターゲットオブジェクトによってトリガーされた第１請求書リクエストを取得し、第１請求書リクエストに応答して、ターゲット請求書の請求書情報を表示するステップであって、第１請求書リクエストがグループセッションから複数のオブジェクトを選択してターゲット請求書を生成することをリクエストするために使用され、複数のオブジェクトがそれぞれ第１オブジェクトセットと第２オブジェクトセットに含まれるステップと、
（２）グループセッションにある他のオブジェクトによってトリガーされた第２請求書リクエストを取得し、第２請求書リクエストに応答して、ターゲット請求書の請求書情報を表示するステップであって、第２請求書リクエストがグループセッションから複数のオブジェクトを選択してターゲット請求書を生成することをリクエストするために使用され、複数のオブジェクトがそれぞれ第１オブジェクトセットと第２オブジェクトセットに含まれ、当該他のオブジェクトが複数のオブジェクトのうちの、ターゲットオブジェクト以外のオブジェクトであるステップと、を含む。
【０１００】
好ましくは、前記請求書作成リクエストは、第１オブジェクトセットのうちのオブジェクトによってトリガーされるか、又は第２オブジェクトセットのうちのオブジェクトによってトリガーされるか、又はグループセッションのうちの他のオブジェクトによってトリガーされてもよいが、これらに限定されていない。その中、他のオブジェクトは、第１オブジェクトセットと第２オブジェクトセットに属していない。つまり、開始された請求書処理リクエストのうちのターゲット請求書に開始者が含まれてもよく、含まれていなくてもよい。クライアントは、ターゲットオブジェクトによって開始された第１請求書リクエスト、又は他のオブジェクトによって開始された第２請求書リクエストを受信した後、グループセッションのうちの全てのオブジェクトを表示し、その後、受信した命令に従って、第１オブジェクトセットと第２オブジェクトセットを決定し、ターゲット請求書を生成する。
【０１０１】
本実施例によれば、第１請求書リクエスト又は第２請求書リクエストに従って、ターゲット請求書の請求書情報を表示することで、仮想リソース転送の効率を確保しつつ、ターゲット請求書の請求書情報を表示する柔軟性を向上させる。
【０１０２】
本発明の実施例のもう１つの態様によれば、メッセージ交換方法をさらに提供する。選択可能な示例として、図１０に示すように、前記メッセージ交換方法はユーザ機器によって実施されることができ、本実施例において、ターゲットオブジェクトは、当該メッセージ交換において、仮想リソースを受信するオブジェクトであってもよく、当該ターゲットオブジェクトは、当該ユーザ機器におけるクライアントにログインすることで、前記仮想リソースを受信することができる。
【０１０３】
当該方法は、
ターゲットオブジェクトの所在するグループセッションのセッションウインドウに、ターゲット請求書の請求書情報を表示するステップＳ１００２であって、処理対象となるターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が、受信対象となる仮想リソースのリソース合計値に等しく、第１オブジェクトセットに含まれたオブジェクトと第２オブジェクトセットに含まれたオブジェクトがグループセッションにあり、ターゲットオブジェクトが第２オブジェクトセットにあるステップＳ１００２と、
ターゲット請求書に記録されたターゲットオブジェクトの受信対象となる仮想リソースのターゲットリソース値に従って、仮想リソース受信操作を実行するステップＳ１００４と、
第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、請求書帳消しメッセージを表示するステップＳ１００６であって、請求書帳消しメッセージが、ターゲット請求書の帳消し処理が既に完成したことを示すために使用されるステップＳ１００６と、を含む。
【０１０４】
好ましくは、前記メッセージ交換方法は、複数人のセッションの複数人の振込分野、又は個人の複数のアカウントの間の資産譲渡過程、或いは市場において複数人が参加する物品の売買過程、又はゲーム分野でのマルチプレイヤーゲームの資産譲渡過程に適用されてもよいが、これらに限定されていない。
【０１０５】
好ましくは、前記グループセッションは、複数人が参加するセッションであってもよいが、これに限定されていない。前記メッセージ交換方法を複数人のセッションの複数人の振込分野に適用することを例として説明する。前記複数人のセッションはグループセッションであってもよいが、これに限定されていない。グループセッションのうちのあるオブジェクトは請求書作成リクエストを開始し、請求書作成リクエストに仮想リソース値を転送する第１オブジェクトセットと、仮想リソースを受信する第２オブジェクトセットが記録される。第１オブジェクトセットに含まれるオブジェクトは第２オブジェクトセットに含まれるオブジェクトと重複していない。第１オブジェクトセットのうちの全てのオブジェクトはターゲット請求書に従って、仮想リソースを転送し、サーバは、前記転送された仮想リソースを受信し、ターゲット請求書に従って、前記転送された仮想リソースを第２オブジェクトセットのうちの全てのオブジェクトに送信する。
【０１０６】
好ましくは、前記請求書帳消しメッセージは、サーバによって送信されてもよいが、これに限定されていない。前記サーバは、サーバ機能を提供できる任意のハードウエア機器であってもよいが、これに限定されず、又は、前記サーバは、代わりにサーバが構築された端末機器であってもよいが、これに限定されていない。例えば、端末機器にサーバが構築され、端末機器から前記サーバによって提供される機能を提供する。
【０１０７】
本実施例によれば、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送することで、第１オブジェクトセットと第２オブジェクトセットのうちの全てのオブジェクトが１回の操作を介して仮想リソースの転送を完成できるという目的を実現し、それにより、仮想リソース転送操作が簡素化され、請求書に対する処理効率を向上させる。
【０１０８】
１つの選択可能な実施案として、ターゲットオブジェクトの所在するグループセッションのセッションウインドウに、処理対象となるターゲット請求書の請求書情報を表示することは、
（１）グループセッションのセッションウインドウにターゲット請求書の請求書記録を表示するステップであって、グループセッションのうちの第１オブジェクトセット及び第２オブジェクトセットに含まれたオブジェクトに、ターゲット請求書をチェックするチェック権限が配置されるステップと、
（２）グループセッションのセッションウインドウに、ターゲット請求書が生成されたことを提示するための提示情報を表示し、ターゲットオブジェクトのために単独で作成されたターゲットセッションのセッションウインドウに、ターゲット請求書の請求書記録を表示するステップと、のうちの１つを含む。
【０１０９】
好ましくは、前記請求書記録は、第１オブジェクトセットのうちのオブジェクトが仮想リソースを転送した記録、及び／又は第２オブジェクトセットのうちのオブジェクトが仮想リソースを受信した記録であってもよいが、これらに限定されていない。前記記録はグループセッションのセッションウインドウに表示されもよいし、ターゲットオブジェクトのために単独で作成されたセッションウインドウに表示されてもよい。
【０１１０】
前記記録は、権限を持つオブジェクトのみに見られ、例えば、第１オブジェクトセットのうちのオブジェクト、第２オブジェクトセットのうちのオブジェクト、及びターゲット請求書リクエストを開始するオブジェクトに対して権限を配置する。他のグループセッションのうちのオブジェクトは見えない。
【０１１１】
例えば、前記記録をグループセッションのセッションウインドウに表示することを例として、図７に示すように、図７は選択可能なグループセッションのセッションウインドウである。グループセッションのセッションウインドウに、ターゲット請求書のショートカットインタフェース７０２と、仮想リソースを転送又は受信する請求書記録７０４とが表示される。ターゲット請求書のショートカットインタフェース７０２がクリックされた後、仮想リソースを転送するページ又は仮想リソースを受信するページにジャンプする。
【０１１２】
本実施例によれば、グループセッションウインドウにターゲット請求書の請求書記録を表示するか、又は、単独で作成されたターゲットセッションのセッションウインドウにターゲット請求書の請求書記録を表示することで、仮想リソースの転送効率を確保しつつ、ターゲット請求書の請求書記録の表示効率を向上させる。
【０１１３】
１つの選択可能な実施案として、ターゲット請求書に記録されたターゲットオブジェクトの受信対象となる仮想リソースのターゲットリソース値に従って、仮想リソース受信操作を実行することは、
グループセッションのセッションウインドウを介して、ターゲットリソース値に対応するターゲット仮想リソースを取得するステップＳ１と、
ターゲット仮想リソースをターゲットオブジェクトに関連付けられたリソースライブラリに転送するステップＳ２と、を含む。
【０１１４】
好ましくは、前記リソースライブラリは、ターゲットオブジェクトの銀行口座であってもよいが、これに限定されていない。ターゲットオブジェクトは、グループセッションのセッションウインドウを介して、他のオブジェクトが支払った仮想リソースを取得した後、仮想リソースを銀行口座に振り込む。
【０１１５】
本実施例によれば、第１転送命令に応答して、ターゲットオブジェクトに関連付けられたリソースライブラリからターゲットリソース値に対応するターゲット仮想リソースを取得し、ターゲット仮想リソースをサーバに転送し、第１転送結果メッセージを表示することで、仮想リソース転送の効率を向上させる。
【０１１６】
１つの選択可能な実施案として、ターゲット請求書に記録されたターゲットオブジェクトの受信対象となる仮想リソースのターゲットリソース値に従って、仮想リソース受信操作を実行することは、
ターゲットセッションのセッションウインドウから、ターゲットリソース値に対応するターゲット仮想リソースを取得するステップＳ１と、
ターゲット仮想リソースをターゲットオブジェクトに関連付けられたリソースライブラリに転送するステップＳ２と、を含む。
【０１１７】
例えば、図１１に示すように、図１１は選択可能なターゲットセッションのセッションウインドウの表示インタフェースである。セッションウインドウに、受取対象となる仮想リソースが表示される。ターゲットオブジェクトは、受取ボタンをクリックして受け取った後、セッションウインドウに、受取完成という提示文字が表示される。ターゲットオブジェクトは、受け取られた仮想リソースを銀行口座に振り込む。
【０１１８】
本実施例によれば、第２転送命令に応答して、ターゲットオブジェクトに関連付けられたリソースライブラリからターゲットリソース値に対応するターゲット仮想リソースを取得し、ターゲット仮想リソースをサーバに転送し、第２転送結果メッセージを表示することで、仮想リソース転送の効率を向上させる。
【０１１９】
１つの選択可能な実施案として、ターゲット請求書に記録されたターゲットオブジェクトの受信対象となる仮想リソースのターゲットリソース値に従って、仮想リソース受信操作を実行する前に、さらに、
請求書確認命令を取得するステップＳ１であって、請求書確認命令が、ターゲット請求書におけるターゲットオブジェクトの受信対象となる仮想リソースのターゲットリソース値を確認するために使用されるステップＳ１と、
請求書確認命令をサーバに送信するステップＳ２と、
サーバによって送信された操作提示メッセージを受信するステップＳ３であって、操作提示メッセージが、ターゲットオブジェクトに対して仮想リソース受信操作を実行することが許可されていることを提示するステップＳ３と、を含む。
【０１２０】
好ましくは、ターゲットオブジェクトが仮想リソースを受信する前に、例えば、請求書の開始者、請求書の開始時間、請求書金額、受取期限などの請求書情報をさらに照合する必要がある。前記メッセージを照合した後、請求書確認命令を送信する。クライアントは、請求書確認命令を受信した後、請求書確認命令をサーバに送信し、サーバは、請求書確認命令を受信した後にのみ、仮想リソースを転送することができる。
【０１２１】
本実施例によれば、請求書確認命令を取得し、請求書確認命令に従って仮想リソース転送操作を実行することで、仮想リソース転送の効率を確保しつつ、仮想リソース転送の安全性を向上させる。
【０１２２】
１つの選択可能な実施案として、ターゲットオブジェクトの所在するグループセッションのセッションウインドウに、ターゲット請求書の請求書情報を表示することは、具体的に、
（１）ターゲットオブジェクトによってトリガーされた第１請求書リクエストを取得し、第１請求書リクエストに応答して、グループセッションのセッションウインドウにターゲット請求書の請求書情報を表示するステップであって、第１請求書リクエストが、前記グループセッションから複数のオブジェクトを選択してターゲット請求書を生成することをリクエストするために使用され、複数のオブジェクトがそれぞれ第１オブジェクトセットと第２オブジェクトセットに含まれるステップ、又は、
（２）グループセッションにある他のオブジェクトによってトリガーされた第２請求書リクエストを取得し、第２請求書リクエストに応答して、グループセッションのセッションウインドウにターゲット請求書の請求書情報を表示するステップであって、第２請求書リクエストが、前記グループセッションから複数のオブジェクトを選択してターゲット請求書を生成することをリクエストするために使用され、複数のオブジェクトがそれぞれ第１オブジェクトセットと第２オブジェクトセットに含まれ、他のオブジェクトが複数のオブジェクトのうちの、ターゲットオブジェクト以外のオブジェクトであるステップ、を含む。
【０１２３】
好ましくは、前記請求書作成リクエストは、第１オブジェクトセットのうちのオブジェクトによってトリガーされるか、又は第２オブジェクトセットのうちのオブジェクトによってトリガーされるか、又はグループセッションのうちの他のオブジェクトによってトリガーされてもよいが、これらに限定されていない。その中で、他のオブジェクトは第１オブジェクトセットと第２オブジェクトセットに属していない。つまり、開始された請求書処理リクエストにおけるターゲット請求書に開始者が含まれてもよく、含まれていなくてもよい。クライアントは、ターゲットオブジェクトによって開始された第１請求書リクエスト、又は他のオブジェクトによって開始された第２請求書リクエストを受信した後、グループセッションのうちの全てのオブジェクトを表示し、その後、受信した命令に従って、第１オブジェクトセットと第２オブジェクトセットを決定し、ターゲット請求書を生成する。
【０１２４】
本実施例によれば、第１請求書リクエスト又は第２請求書リクエストに従って、ターゲット請求書の請求書情報を表示することで、仮想リソース転送の効率を確保しつつ、ターゲット請求書の請求書情報を表示する柔軟性を向上させる。
【０１２５】
本発明の実施例のもう１つの態様によれば、メッセージ交換装置をさらに提供する。選択可能な例示として、図１２に示すように、前記メッセージ交換装置は、
（１）グループセッションによって開始される請求書作成リクエストを受信するための、第１受信ユニット１２０２と、
（２）前記請求書作成リクエストに応答して、ターゲット請求書を生成するための生成ユニット１２０４であって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにある生成ユニット１２０４と、
（３）前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが、前記ターゲット請求書に記録された前記受信対象となる仮想リソースのリソース値に従って、仮想リソース受信操作を実行するように、前記ターゲット請求書を前記第１オブジェクトセットに含まれたオブジェクトと、前記第２オブジェクトセットに含まれたオブジェクトに送信するための第１送信ユニット１２０６と、
（４）前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ターゲット請求書の帳消しが完成したことを指示するための第２送信ユニット１２０８と、を含む。
【０１２６】
本実施例の方法によれば、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送することで、第１オブジェクトセットと第２オブジェクトセットのうちの全てのオブジェクトが１回の操作を介して仮想リソースの転送を完成できるという目的を実現し、それにより、仮想リソースの転送操作が簡素化され、請求書に対する処理効率を向上させる。
【０１２７】
１つの選択可能な実施案として、前記第１送信ユニットは、
（１）ターゲット請求書を第１オブジェクトセットに含まれたオブジェクトと第２オブジェクトセットに含まれたオブジェクトに同時に送信するための第１送信モジュール、又は、
（２）ターゲット請求書を第１オブジェクトセットに含まれたオブジェクトと第２オブジェクトセットに含まれたオブジェクトに非同期的に送信するための第２送信モジュール、を含む。
【０１２８】
本実施例によれば、サーバが、ターゲット請求書を同期的又は非同期的に第１オブジェクトセットと第２オブジェクトセットのうちのオブジェクトに送信することで、仮想リソース転送の効率を確保しつつ、仮想リソースの転送の柔軟性を向上させる。
【０１２９】
１つの選択可能な実施案として、前記第２送信モジュールは、
（１）第１オブジェクトセットに含まれたオブジェクトにターゲット請求書を送信するための第１送信サブモジュールであって、第１オブジェクトセットによって転送された仮想リソースのリソース値が、ターゲット請求書に記録された転送対象となる仮想リソースのリソース合計値に達した場合、第２オブジェクトセットに含まれたオブジェクトにターゲット請求書を送信する第１送信サブモジュール、又は、
（２）第２オブジェクトセットに含まれたオブジェクトにターゲット請求書を送信するための第２送信サブモジュールであって、第２オブジェクトセットによって受信された仮想リソースのリソース値がターゲット請求書に記録された受信対象となる仮想リソースのリソース合計値に達した場合、第１オブジェクトセットに含まれたオブジェクトにターゲット請求書を送信する第２送信サブモジュール、を含む。
【０１３０】
本実施例によれば、前記方法を利用して、第１オブジェクトセット及び第２オブジェクトセットにターゲット請求書を送信することで、ターゲット請求書の送信タイミングを柔軟に選択することができ、仮想リソース転送の効率を確保しつつ、ターゲット請求書の送信の柔軟性を向上させる。
【０１３１】
１つの選択可能な実施案として、前記装置はさらに、
（１）ターゲット請求書を第１オブジェクトセットに含まれたオブジェクトと第２オブジェクトセットに含まれたオブジェクトに送信した後、ターゲット請求書に記録された仮想リソースのリソース値に従って第１オブジェクトセットに含まれたオブジェクトによって転送された仮想リソースを受信し、仮想リソースをターゲット請求書に記録された仮想リソースのリソース値に従って第２オブジェクトセットに含まれたオブジェクトに転送するための第２受信ユニット、又は、
（２）ターゲット請求書を第１オブジェクトセットに含まれたオブジェクトと第２オブジェクトセットに含まれたオブジェクトに送信した後、第１オブジェクトセットに含まれたオブジェクトによってターゲット請求書に記録された仮想リソースのリソース値に従って転送された仮想リソースを受信し、第１オブジェクトセットによって転送された仮想リソースのリソース値がターゲット請求書に記録された転送対象となる仮想リソースのリソース合計値に達し場合、仮想リソースをターゲット請求書に記録された仮想リソースのリソース値に従って第２オブジェクトセットに含まれたオブジェクトに転送するための第３受信ユニット、又は、
（３）ターゲット請求書を第１オブジェクトセットに含まれたオブジェクトと第２オブジェクトセットに含まれたオブジェクトに送信した後、ターゲット請求書に記録された仮想リソースのリソース値に従って、第２オブジェクトセットに含まれたオブジェクトに仮想リソースを転送し、第２オブジェクトセットによって受信された仮想リソースのリソース値がターゲット請求書に記録された受信対象となる仮想リソースのリソース合計値に達した場合、第１オブジェクトセットに含まれたオブジェクトによってターゲット請求書に記録された仮想リソースのリソース値に従って転送された仮想リソースを受信するための第４受信ユニット、を含む。
【０１３２】
本実施例によれば、前記方法を利用して、第１オブジェクトセットのうちのオブジェクトによって転送された仮想リソースを転送し、第２オブジェクトセットのうちのオブジェクトに仮想リソースを送信することで、仮想リソース転送の効率を確保しつつ、仮想リソースの転送の柔軟性を向上させる。
【０１３３】
１つの選択可能な実施案として、前記第２受信ユニットは、
（１）第１オブジェクトセットから受信された仮想リソースのリソース値が第１リソース値に達し、且つ第１リソース値が第２オブジェクトセットのうちのターゲットオブジェクトの受信対象となる仮想リソースのリソース値以上である場合、ターゲットオブジェクトの受信対象となる仮想リソースのリソース値に従って、第１オブジェクトセットから受信された仮想リソースから、仮想リソースを差し引き、ターゲットオブジェクトの受信対象となる仮想リソースのリソース値に従って、ターゲットオブジェクトに仮想リソースを転送するための差し引きモジュールを含む。
【０１３４】
本実施例によれば、受信された、第１オブジェクトセットのうちのオブジェクトによって転送された仮想リソースのリソース値が、第２オブジェクトセットのうちのオブジェクトが受信すべき仮想リソースのリソース値を超えた場合、第２オブジェクトセットのうちのターゲットオブジェクトが受信すべき仮想リソースのリソース値に従って、仮想リソースを転送することで、仮想リソース転送の効率を確保しつつ、仮想リソースの転送の正確性を向上させる。
【０１３５】
１つの選択可能な実施案として、前記装置はさらに、
（１）ターゲット請求書を第１オブジェクトセットに含まれたオブジェクトと第２オブジェクトセットに含まれたオブジェクトに送信した後、第１オブジェクトセットに含まれたオブジェクトによって送信された第１請求書確認命令を受信するための第５受信ユニットであって、第１請求書確認命令が、ターゲット請求書における第１オブジェクトセットに含まれたオブジェクトが転送対象となる仮想リソースを確認したことを指示するために使用される第５受信ユニットと、
（２）第２オブジェクトセットに含まれたオブジェクトによって送信された第２請求書確認命令を受信するための第６受信ユニットであって、第２請求書確認命令が、ターゲット請求書における第２オブジェクトセットに含まれたオブジェクトが受信対象となる仮想リソースを確認したことを指示する第６受信ユニットと、を含む。
【０１３６】
本実施例によれば、第１オブジェクトセットのうちのオブジェクトによって送信された第１請求書確認命令と、第２オブジェクトセットのうちのオブジェクトによって送信された第２請求書確認命令を受信することで、仮想リソース転送の効率を確保しつつ、仮想リソースの転送の正確性を向上させる。
【０１３７】
本発明の実施例のもう１つの態様によれば、メッセージ交換装置をさらに提供する。選択可能な例示として、図１３に示すように、前記メッセージ交換装置は、
（１）現在オブジェクトの所在するグループセッションのセッションウインドウに、処理対象となるターゲット請求書の請求書情報を表示するための第１表示ユニット１３０２であって、ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトがグループセッションにあり、現在オブジェクトが第１オブジェクトセットに含まれる第１表示ユニット１３０２と、
（２）ターゲット請求書に記録された現在オブジェクトの転送対象となる仮想リソースのターゲットリソース値に従って、仮想リソース転送操作を実行するための実行ユニット１３０４と、
（３）第１オブジェクトセットによって転送された仮想リソースのリソース値がターゲット請求書に記録された転送対象となる仮想リソースのリソース合計値に達し、且つ第２オブジェクトセットによって受信された仮想リソースのリソース値がターゲット請求書に記録された受信対象となる仮想リソースのリソース合計値に達した場合、請求書帳消しメッセージを表示するための第２表示ユニット１３０６であって、請求書帳消しメッセージが、ターゲット請求書の帳消し処理が既に完成したことを示すために使用される第２表示ユニット１３０６と、を含む。
【０１３８】
本実施例によれば、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送し、第１オブジェクトセットと第２オブジェクトセットのうちの全てのオブジェクトが１回の操作を介して仮想リソースの転送を完成できるという目的を実現し、それにより、仮想リソース転送操作が簡素化され、請求書に対する処理効率を向上させる。
【０１３９】
１つの選択可能な実施案として、前記第１表示ユニットは、
（１）グループセッションのセッションウインドウにターゲット請求書の請求書記録を表示するための第１表示モジュールであって、グループセッションのうちの第１オブジェクトセット及び第２オブジェクトセットにターゲット請求書をチェックするチェック権限が配置される第１表示モジュールと、
（２）グループセッションのセッションウインドウに、ターゲット請求書が生成されたことを提示するための提示情報を表示し、現在オブジェクトのために単独で作成されるターゲットセッションのセッションウインドウに、ターゲット請求書の請求書記録を表示するための第２表示モジュールと、のうちの１つを含む。
【０１４０】
本実施例によれば、グループセッションウインドウにターゲット請求書の請求書記録を表示するか、又は単独で作成されるターゲットセッションのセッションウインドウにターゲット請求書の請求書記録を表示することで、仮想リソース転送の効率を確保しつつ、ターゲット請求書の請求書記録の表示効率を向上させる。
【０１４１】
１つの選択可能な実施案として、前記実行ユニットは、
（１）グループセッションのセッションウインドウに表示される第１操作パネルに対して操作を実行することによって生成された第１転送命令を取得するための第１取得モジュールと、
（２）第１転送命令に応答して、現在オブジェクトに関連付けられたリソースライブラリから、ターゲットリソース値に対応するターゲット仮想リソースを取得し、ターゲット仮想リソースをサーバに転送するための第２取得モジュールと、
（３）グループセッションのセッションウインドウに、第１転送結果メッセージを表示するための第３表示モジュールであって、第１転送結果メッセージが、現在オブジェクトによってターゲット仮想リソースが転送された後の転送結果を指示する第３表示モジュールと、を含む。
【０１４２】
本実施例によれば、第１転送命令に応答して、現在オブジェクトに関連付けられたリソースライブラリから、ターゲットリソース値に対応するターゲット仮想リソースを取得し、ターゲット仮想リソースをサーバに転送し、第１転送結果メッセージを表示することで、仮想リソース転送の効率を向上させる。
【０１４３】
１つの選択可能な実施案として、前記実行ユニットは、
（１）ターゲットセッションのセッションウインドウに表示される第２操作パネルに対して操作を実行することによって生成された第２転送命令を取得するための第４取得モジュールと、
（２）第２転送命令に応答して、現在オブジェクトに関連付けられるリソースライブラリから、ターゲットリソース値に対応するターゲット仮想リソースを取得し、ターゲット仮想リソースをサーバに転送するための第５取得モジュールと、
（３）ターゲットセッションのセッションウインドウに、第２転送結果メッセージを表示するための第４表示モジュールであって、第２転送結果メッセージが、現在オブジェクトによってターゲット仮想リソースが転送された後の転送結果を指示する第４表示モジュールと、を含む。
【０１４４】
本実施例によれば、第２転送命令に応答して、現在オブジェクトに関連付けられたリソースライブラリから、ターゲットリソース値に対応するターゲット仮想リソースを取得し、ターゲット仮想リソースをサーバに転送し、第２転送結果メッセージを表示することで、仮想リソース転送の効率を向上させる。
【０１４５】
１つの選択可能な実施案として、前記装置はさらに、
（１）ターゲット請求書に記録された現在オブジェクトの転送対象となる仮想リソースのターゲットリソース値に従って、仮想リソース転送操作を実行する前に、請求書確認命令を取得するための取得ユニットであって、請求書確認命令が、ターゲット請求書における現在オブジェクトの転送対象となる仮想リソースのターゲットリソース値を確認するために使用される取得ユニットと、
（２）請求書確認命令をサーバに送信するための送信ユニットと、
（３）サーバによって送信された操作提示メッセージを受信するための受信ユニットであって、操作提示メッセージが、現在オブジェクトが仮想リソース転送操作を実行することが許可されていることを提示する受信ユニットと、を含む。
【０１４６】
本実施例によれば、請求書確認命令を取得し、請求書確認命令に従って、仮想リソース転送操作を実行することで、仮想リソース転送の効率を確保しつつ、仮想リソースの転送の安全性を向上させる。
【０１４７】
１つの選択可能な実施案として、前記第１表示ユニットは、
（１）現在オブジェクトによってトリガーされた第１請求書リクエストを取得し、第１請求書リクエストに応答して、ターゲット請求書の請求書情報を表示するための第７取得モジュールであって、第１請求書リクエストが、グループセッションから複数のオブジェクトを選択してターゲット請求書を生成することをリクエストするために使用され、複数のオブジェクトが第１オブジェクトセットと第２オブジェクトセットに含まれる第７取得モジュールと、
（２）グループセッションにあるターゲットオブジェクトによってトリガーされた第２請求書リクエストを取得し、第２請求書リクエストに応答して、ターゲット請求書の請求書情報を表示するための第８取得モジュールであって、第２請求書リクエストがグループセッションから複数のオブジェクトを選択してターゲット請求書を生成することをリクエストするために使用され、複数のオブジェクトが第１オブジェクトセットと第２オブジェクトセットに含まれ、ターゲットオブジェクトが複数のオブジェクトのうちの、現在オブジェクト以外の他のオブジェクトである第８取得モジュールと、を含む。
【０１４８】
本実施例によれば、第１請求書リクエスト又は第２請求書リクエストに従って、ターゲット請求書の請求書情報を表示することで、仮想リソース転送の効率を確保しつつ、ターゲット請求書の請求書情報を表示する柔軟性を向上させる。
【０１４９】
本発明の実施例のもう１つの態様によれば、メッセージ交換装置をさらに提供する。選択可能な例示として、図１４に示すように、前記メッセージ交換装置は、
（１）現在オブジェクトの所在するグループセッションのセッションウインドウに処理対象となるターゲット請求書の請求書情報を表示するための第１表示ユニット１４０２であって、ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトがグループセッションにあり、現在オブジェクトが第２オブジェクトセットに含まれる第１表示ユニット１４０２と、
（２）ターゲット請求書に記録された現在オブジェクトの受信対象となる仮想リソースのターゲットリソース値に従って、仮想リソース受信操作を実行するための実行ユニット１４０４と、
（３）第１オブジェクトセットによって転送された仮想リソースのリソース値がターゲット請求書に記録された転送対象となる仮想リソースのリソース合計値に達し、且つ第２オブジェクトセットによって受信された仮想リソースのリソース値がターゲット請求書に記録された受信対象となる仮想リソースのリソース合計値に達した場合、請求書帳消しメッセージを表示するための第２表示ユニット１４０６であって、請求書帳消しメッセージが、ターゲット請求書の帳消し処理が既に完成したことを示すために使用される第２表示ユニット１４０６と、を含む。
【０１５０】
本実施例によれば、請求書作成リクエストを取得した後、ターゲット請求書を生成し、ターゲット請求書に基づいて、第１オブジェクトセットのうちの全てのオブジェクトから仮想リソースを取得し、仮想リソースを第２オブジェクトセットのうちの全てのオブジェクトに転送することで、第１オブジェクトセットと第２オブジェクトセットのうちの全てのオブジェクトが１回の操作を介して仮想リソースの転送を完成できるという目的を実現し、それにより、仮想リソース転送操作が簡素化され、請求書に対する処理効率を向上させる。
【０１５１】
１つの選択可能な実施案として、前記実行ユニットは、
（１）グループセッションのセッションウインドウにターゲット請求書の請求書記録を表示するための第１表示モジュールであって、グループセッションのうちの第１オブジェクトセット及び第２オブジェクトセットに、ターゲット請求書をチェックするチェック権限が配置される第１表示モジュールと、
（２）グループセッションのセッションウインドウに、ターゲット請求書が生成されたことを提示するための提示情報を表示し、現在オブジェクトのため単独で作成されるターゲットセッションのセッションウインドウに、ターゲット請求書の請求書記録を表示するための第２表示モジュールと、のうちの１つを含む。
【０１５２】
本実施例によれば、グループセッションウインドウにターゲット請求書の請求書記録を表示するか、又は、単独で作成されたターゲットセッションのセッションウインドウにターゲット請求書の請求書記録を表示することで、仮想リソース転送の効率を確保しつつ、ターゲット請求書の請求書記録の表示効率を向上させる。
【０１５３】
１つの選択可能な実施案として、前記実行ユニットは、
（１）グループセッションのセッションウインドウを介して、ターゲットリソース値に対応するターゲット仮想リソースを取得するための第１取得モジュールと、
（２）ターゲット仮想リソースを現在オブジェクトに関連付けられたリソースライブラリに転送するための第１転送モジュールと、を含む。
【０１５４】
本実施例によれば、第１転送命令に応答して、現在オブジェクトに関連付けられたリソースライブラリから、ターゲットリソース値に対応するターゲット仮想リソースを取得し、ターゲット仮想リソースをサーバに転送し、第１転送結果メッセージを表示することで、仮想リソース転送の効率を向上させる。
【０１５５】
１つの選択可能な実施案として、前記実行ユニットは、
（１）ターゲットセッションのセッションウインドウから、ターゲットリソース値に対応するターゲット仮想リソースを取得するための第２取得モジュールと、
（２）ターゲット仮想リソースを現在オブジェクトに関連付けられたリソースライブラリに転送するための第２転送モジュールと、を含む。
【０１５６】
本実施例によれば、第２転送命令に応答して、現在オブジェクトに関連付けられたリソースライブラリから、ターゲットリソース値に対応するターゲット仮想リソースを取得し、ターゲット仮想リソースをサーバに転送し、第２転送結果メッセージを表示することで、仮想リソース転送の効率を向上させる。
【０１５７】
１つの選択可能な実施案として、前記装置はさらに、
（１）ターゲット請求書に記録された現在オブジェクトの受信対象となる仮想リソースのターゲットリソース値に従って、仮想リソース受信操作を実行する前に、請求書確認命令を取得するための第１取得ユニットであって、請求書確認命令が、ターゲット請求書における現在オブジェクトの転送対象となる仮想リソースのターゲットリソース値を確認するために使用される第１取得ユニットと、
（２）請求書確認命令をサーバに送信するための送信ユニットと、
（３）サーバによって送信された操作提示メッセージを受信するための受信ユニットであって、操作提示メッセージが、現在オブジェクトが仮想リソース受信操作を実行することが許可されていることを提示するために使用される受信ユニットと、を含む。
【０１５８】
本実施例によれば、請求書確認命令を取得し、請求書確認命令に従って、仮想リソース転送操作を実行することで、仮想リソース転送の効率を確保しつつ、仮想リソース転送の安全性を向上させる。
【０１５９】
１つの選択可能な実施案として、前記装置はさらに、
（１）請求書処理リクエストを取得する前に、現在オブジェクトによってトリガーされた第１請求書リクエストを取得し、第１請求書リクエストに応答して、ターゲット請求書の請求書情報を表示するための第２取得ユニットであって、第１請求書リクエストが、グループセッションから複数のオブジェクトを選択してターゲット請求書を生成することをリクエストするために使用され、複数のオブジェクトが、第１オブジェクトセットと第２オブジェクトセットに含まれる第２取得ユニット、又は、
（２）請求書処理リクエストを取得する前に、グループセッションにあるターゲットオブジェクトによってトリガーされた第２請求書リクエストを取得し、第２請求書リクエストに応答して、ターゲット請求書の請求書情報を表示するための第３取得ユニットであって、第２請求書リクエストがグループセッションから複数のオブジェクトを選択してターゲット請求書を生成することをリクエストするために使用され、複数のオブジェクトが第１オブジェクトセットと第２オブジェクトセットに含まれ、ターゲットオブジェクトが複数のオブジェクトのうちの、現在オブジェクト以外の他のオブジェクトである第３取得ユニット、を含む。
【０１６０】
本実施例によれば、第１請求書リクエスト又は第２請求書リクエストに従って、ターゲット請求書の請求書情報を表示することで、仮想リソース転送の効率を確保しつつ、ターゲット請求書の請求書情報を表示する柔軟性を向上させる。
【０１６１】
本発明の実施例の他の態様によれば、さらに、前記メッセージ交換方法を実施するための電子装置を提供し、図１５に示すように、当該電子装置はメモリ１５０２とプロセッサ１５０４とを含み、当該メモリ１５０２にはコンピュータプログラムが記憶され、当該プロセッサ１５０４は、コンピュータプログラムによって上記の方法実施例のいずれかにおけるステップを実行するように配置される。
【０１６２】
好ましくは、本実施例において、前記電子装置は、コンピュータネットワーク内の複数のネットワーク機器のうちの、少なくとも１つのネットワーク機器に配置され得る。
【０１６３】
好ましくは、本実施例において、前記プロセッサは、コンピュータプログラムによって、
グループセッションによって開始される請求書作成リクエストを受信するステップＳ１と、
請求書作成リクエストに応答して、ターゲット請求書を生成するステップＳ２であって、ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトがグループセッションにあるステップＳ２と、
第１オブジェクトセットに含まれたオブジェクトがターゲット請求書に記録された転送対象となる仮想リソースのリソース値に従って、仮想リソース転送操作を実行し、第２オブジェクトセットに含まれたオブジェクトがターゲット請求書に記録された受信対象となる仮想リソースのリソース値に従って、仮想リソース受信操作を実行するように、ターゲット請求書を第１オブジェクトセットに含まれたオブジェクトと第２オブジェクトセットに含まれたオブジェクトに送信するステップＳ３と、
第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、ターゲット請求書の帳消しが完成したことを指示するステップＳ４と、を実行するように配置され得る。
【０１６４】
好ましくは、当業者は、図１５に示される構成が例示のみであり、電子装置がスマートフォン（例えばＡｎｄｒｏｉｄフォン、ｉＯＳフォンなど）、タブレット、パームトップ及びモバイルインターネットデバイス（Ｍｏｂｉｌｅ Ｉｎｔｅｒｎｅｔ Ｄｅｖｉｃｅｓ、ＭＩＤ）、ＰＡＤなどの端末機器であってもよいことを理解することができる。図１５は上記の電子装置の構成を限定していない。例えば、電子装置はさらに、図１５に示されるものよりも多い又は少ないコンポーネント（例えばネットワークインタフェース、表示装置など）を含み得るか、又は図１５に示されるものとは異なる配置を有してもよい。
【０１６５】
メモリ１５０２は、本発明の実施例におけるメッセージ交換方法及び装置に対応するプログラム命令／モジュールのような、ソフトウェアプログラム及びモジュールを記憶してもよく、プロセッサ１５０４はメモリ１５０２に記憶されるソフトウェアプログラム及びモジュールを実行することで、各種機能の適用及びデータ処理を実行し、即ち、前記メッセージ交換方法を実現する。メモリ１５０２は高速ランダムメモリを含んでもよく、また、例えば、１つ以上の磁気記憶装置、フラッシュメモリ、又は他の不揮発性固体メモリなどの不揮発性メモリを含んでもよい。いくつかの例において、メモリ１５０２はさらに、プロセッサ１５０４に対して遠隔的に配置されたメモリを含んでもよく、これらの遠隔メモリは、ネットワークを介して端末に接続される。上記のネットワークの例は、インターネット、企業イントラネットワーク、ローカルエリアネットワーク、モバイル通信ネットワーク及びそれらの組み合わせが含まれるが、これらに限定されていない。具体的に、メモリ１５０２はターゲット請求書と仮想リソースのリソース値などのコンテンツを記憶する。一例として、図１５に示すように、前記メモリ１５０２は、前記メッセージ交換装置における第１受信ユニット１２０２、生成ユニット１２０４、第１送信ユニット１２０６及び第２送信ユニット１２０８などを含んでもよいが、これらに限定されていない。また、さらに、前記メッセージ交換装置における他のモジュールユニットを含んでもよいが、これらに限定されていない。この例において繰り返されない。
【０１６６】
前記伝送装置１５０６は、１つのネットワークを介してデータを送受信する。上記のネットワークの特定の例は、有線ネットワーク及び無線ネットワークを含んでもよい。一例において、伝送装置１５０６は、ネットワークケーブルを介して他のネットワーク機器及びルータに接続されることで、インターネット又はローカルエリアネットワークと通信できるネットワークアダプタ（Ｎｅｔｗｏｒｋ Ｉｎｔｅｒｆａｃｅ Ｃｏｎｔｒｏｌｌｅｒ、ＮＩＣ）を含む。一例において、伝送装置１５０６は無線方式でインターネットと通信するための無線周波（Ｒａｄｉｏ Ｆｒｅｑｕｅｎｃｙ、ＲＦ）モジュールである。
【０１６７】
また、前記電子装置はさらに、前記ターゲット請求書などのコンテンツを表示するためのディスプレイ１５０８と、前記電子装置における各モジュール部品を接続するための接続バス１５１０と、を含む。
【０１６８】
本発明の実施例の他の態様によれば、さらに、前記メッセージ交換方法を実施するための電子装置を提供し、図１６に示すように、当該電子装置はメモリ１６０２とプロセッサ１６０４とを含み、当該メモリ１６０２にはコンピュータプログラムが記憶され、当該プロセッサ１６０４は、コンピュータプログラムによって上記の方法実施例のいずれかにおけるステップを実行するように配置される。
【０１６９】
好ましくは、本実施例において、前記電子装置は、コンピュータネットワーク内の複数のネットワーク機器のうちの、少なくとも１つのネットワーク機器に配置され得る。
【０１７０】
好ましくは、本実施例において、前記プロセッサは、コンピュータプログラムによって、
ターゲットオブジェクトの所在するグループセッションのセッションウインドウに、ターゲット請求書の請求書情報を表示するステップＳ１であって、処理対象となるターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトがグループセッションにあり、現在オブジェクトが第１オブジェクトセットにあるステップＳ１と、
ターゲット請求書に記録されたターゲットリソース値に従って、仮想リソース転送操作を実行するステップＳ２であって、前記ターゲットリソース値が前記ターゲットオブジェクトの転送対象となる仮想リソースを識別するステップＳ２と、
第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、請求書帳消しメッセージを表示するステップＳ３であって、請求書帳消しメッセージが、ターゲット請求書の帳消し処理が既に完成したことを示すために使用されるステップＳ３と、を実行するように配置され得る。
【０１７１】
好ましくは、当業者は、図１６に示される構成が例示のみであり、電子装置がスマートフォン（例えばＡｎｄｒｏｉｄフォン、ｉＯＳフォンなど）、タブレット、パームトップ及びモバイルインターネットデバイス（Ｍｏｂｉｌｅ Ｉｎｔｅｒｎｅｔ Ｄｅｖｉｃｅｓ、ＭＩＤ）、ＰＡＤなどの端末機器であってもよいことを理解することができる。図１６は前記電子装置の構成を限定していない。例えば、電子装置はさらに、図１６に示されるものよりも多い又は少ないコンポーネント（例えばネットワークインタフェース、表示装置など）を含み得るか、又は図１６に示されるものとは異なる配置を有してもよい。
【０１７２】
メモリ１６０２は、本発明の実施例におけるメッセージ交換方法及び装置に対応するプログラム命令／モジュールのような、ソフトウェアプログラム及びモジュールを記憶し、プロセッサ１６０４はメモリ１６０２に記憶されるソフトウェアプログラム及びモジュールを実行することで、各種機能の適用及びデータ処理を実行し、即ち、前記メッセージ交換方法を実現する。メモリ１６０２は高速ランダムメモリを含んでもよく、また、例えば、１つ又は複数の磁気記憶装置、フラッシュメモリ、又は他の不揮発性固体メモリなどの不揮発性メモリを含んでもよい。いくつかの例において、メモリ１６０２はさらに、プロセッサ１６０４に対して遠隔的に配置されるメモリを含んでもよく、これらの遠隔メモリはネットワークを介して端末に接続される。上記のネットワークの例は、インターネット、企業イントラネットワーク、ローカルエリアネットワーク、モバイル通信ネットワーク及びそれらの組み合わせが含まれるが、これらに限定されていない。具体的に、メモリ１６０２はターゲット請求書と仮想リソースのリソース値などのコンテンツを記憶する。一例として、図１６に示すように、前記メモリ１６０２はさらに前記メッセージ交換装置における第１表示ユニット１３０２、実行ユニット１３０４、第２表示ユニット１３０６などを含んでもよいが、これらに限定されていない。また、前記メッセージ交換装置における他のモジュールユニットを含んでもよいが、これらに限定されていない。この例において繰り返されない。
【０１７３】
前記伝送装置１６０６は１つのネットワークを介してデータを送受信する。上記のネットワークの特定の例は、有線ネットワーク及び無線ネットワークを含んでもよい。一例において、伝送装置１６０６は、ネットワークケーブルを介して他のネットワーク機器及びルータに接続されることで、インターネット又はローカルエリアネットワークと通信できるネットワークアダプタ（Ｎｅｔｗｏｒｋ Ｉｎｔｅｒｆａｃｅ Ｃｏｎｔｒｏｌｌｅｒ、ＮＩＣ）を含む。一例において、伝送装置１６０６は、無線方式でインターネットと通信するための無線周波（Ｒａｄｉｏ Ｆｒｅｑｕｅｎｃｙ、ＲＦ）モジュールである。
【０１７４】
また、前記電子装置はさらに、前記ターゲット請求書などのコンテンツを表示するためのディスプレイ１６０８と、 前記電子装置における各モジュール部品を接続するための接続バス１６１０とを含む。
【０１７５】
本発明の実施例の他の態様によれば、さらに、前記メッセージ交換方法を実施するための電子装置を提供し、図１７に示すように、当該電子装置は、メモリ１７０２とプロセッサ１７０４とを含み、当該メモリ１７０２にはコンピュータプログラムが記憶され、当該プロセッサ１７０４は、コンピュータプログラムによって上記の方法実施例のいずれかにおけるステップを実行するように配置される。
【０１７６】
好ましくは、本実施例において、前記電子装置は、コンピュータネットワーク内の複数のネットワーク機器のうちの少なくとも１つのネットワーク機器に配置され得る。
【０１７７】
好ましくは、本実施例において、前記プロセッサは、コンピュータプログラムによって、
ターゲットオブジェクトの所在するグループセッションのセッションウインドウに、ターゲット請求書の請求書情報を表示するためのステップＳ１であって、処理対象となるターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトがグループセッションにあり、現在オブジェクトが第２オブジェクトセットにあるステップＳ１と、
ターゲット請求書に記録されたターゲットリソース値に従って、仮想リソース受信操作を実行するステップＳ２であって、前記ターゲットリソース値が前記ターゲットオブジェクトの受信対象となる仮想リソースを識別するステップＳ２と、
第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、請求書帳消しメッセージを表示するステップであって、請求書帳消しメッセージが、ターゲット請求書の帳消し処理が既に完成したことを示すために使用されるステップＳ３と、を実行するように配置され得る。
【０１７８】
好ましくは、当業者は、図１７に示される構成が例示のみであり、電子装置がスマートフォン（例えばＡｎｄｒｏｉｄフォン、ｉＯＳフォンなど）、タブレット、パームトップ及びモバイルインターネットデバイス（Ｍｏｂｉｌｅ Ｉｎｔｅｒｎｅｔ Ｄｅｖｉｃｅｓ、ＭＩＤ）、ＰＡＤなどの端末機器であってもよいことを理解することができる。図１７は上記の電子装置の構成を限定していない。例えば、電子装置はさらに、図１７に示されるものよりも多い又は少ないコンポーネント（例えばネットワークインタフェース、表示装置など）を含み得るか、又は図１７に示されるものとは異なる配置を有し得る。
【０１７９】
メモリ１７０２は、本発明の実施例におけるメッセージ交換方法及び装置に対応するプログラム命令／モジュールのようなソフトウェアプログラム及びモジュールを記憶し、プロセッサ１７０４は、メモリ１７０２に記憶されるソフトウェアプログラム及びモジュールを実行することで、各種機能の適用及びデータ処理を実行し、即ち、上記のメッセージ交換方法を実現する。メモリ１７０２は、高速ランダムメモリを含んでもよく、また、例えば、１つ以上の磁気記憶装置、フラッシュメモリ、又は他の不揮発性固体メモリなどの不揮発性メモリを含んでもよい。いくつかの例において、メモリ１７０２はさらに、プロセッサ１７０４に対して遠隔的に配置されるメモリを含んでもよく、これらの遠隔メモリは、ネットワークを介して端末に接続され得る。上記のネットワークの例は、インターネット、企業イントラネットワーク、ローカルエリアネットワーク、モバイル通信ネットワーク及びそれらの組み合わせが含まれるが、これらに限定されていない。具体的に、メモリ１７０２はターゲット請求書と仮想リソースのリソース値などのコンテンツを記憶する。一例として、図１７に示すように、前記メモリ１７０２は前記メッセージ交換装置における第１表示ユニット１４０２、実行ユニット１４０４、第２表示ユニット１４０６などを含んでもよいが、これらに限定されていない。また、前記メッセージ交換装置における他のモジュールユニットを含んでもよいが、これらに限定されていない。この例において繰り返されない。
【０１８０】
前記伝送装置１７０６は１つのネットワークを介してデータを送受信する。上記のネットワークの特定の例は、有線ネットワーク及び無線ネットワークを含んでもよい。一例において、伝送装置１７０６は、ネットワークケーブルを介して他のネットワーク機器及びルータに接続されることで、インターネット又はローカルエリアネットワークと通信できるネットワークアダプタ（Ｎｅｔｗｏｒｋ Ｉｎｔｅｒｆａｃｅ Ｃｏｎｔｒｏｌｌｅｒ、ＮＩＣ）を含む。一例において、伝送装置１７０６は、無線方式でインターネットと通信するための無線周波（Ｒａｄｉｏ Ｆｒｅｑｕｅｎｃｙ、ＲＦ）モジュールである。
【０１８１】
また、前記電子装置はさらに、前記ターゲット請求書などのコンテンツを表示するためのディスプレイ１７０８と、前記電子装置における各モジュール部品を接続するための接続バス１７１０と、を含む。
【０１８２】
本発明の実施例の他の態様によれば、コンピュータプログラムが記憶される記憶媒体を提供し、当該コンピュータプログラムは、実行される際、前記方法実施例のいずれかにおけるステップを実行するように配置される。
【０１８３】
好ましくは、本実施例において、前記記憶媒体は、以下のステップを実行するためのコンピュータプログラムを記憶するように配置され、
グループセッションによって開始される請求書作成リクエストを受信するステップＳ１と、
請求書作成リクエストに応答して、ターゲット請求書を生成するステップＳ２であって、ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が、受信対象となる仮想リソースのリソース合計値に等しく、第１オブジェクトセットに含まれたオブジェクトと第２オブジェクトセットに含まれたオブジェクトがグループセッションにあるステップＳ２と、
第１オブジェクトセットに含まれたオブジェクトが、ターゲット請求書に記録された転送対象となる仮想リソースのリソース値に従って、仮想リソース転送操作を実行し、第２オブジェクトセットに含まれたオブジェクトがターゲット請求書に記録された受信対象となる仮想リソースのリソース値に従って、仮想リソース受信操作を実行するように、ターゲット請求書を第１オブジェクトセットに含まれたオブジェクトと第２オブジェクトセットに含まれたオブジェクトに送信するステップＳ３と、
第１オブジェクトセットによって転送された仮想リソースのリソース値が、転送対象となる仮想リソースのリソース合計値に達し、且つ第２オブジェクトセットによって受信された仮想リソースのリソース値が、受信対象となる仮想リソースのリソース合計値に達した場合、ターゲット請求書の帳消しが完成したことを指示するステップＳ４と、を含む。
【０１８４】
好ましくは、本実施例において、前記記憶媒体は、以下のステップを実行するためのコンピュータプログラムを記憶するように配置され、
ターゲットオブジェクトの所在するグループセッションのセッションウインドウに、ターゲット請求書の請求書情報を表示するステップＳ１であって、処理対象となるターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトがグループセッションにあり、現在オブジェクトが第１オブジェクトセットにあるステップＳ１と、
ターゲット請求書に記録されたターゲットリソース値に従って、仮想リソース転送操作を実行するステップＳ２であって、前記ターゲットリソース値が前記ターゲットオブジェクトの転送対象となる仮想リソースを識別するステップＳ２と、
第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、請求書帳消しメッセージを表示するステップＳ３であって、請求書帳消しメッセージが、ターゲット請求書の帳消し処理が既に完成したことを示すために使用されるステップＳ３と、を含む。
【０１８５】
好ましくは、本実施例において、前記記憶媒体は、以下のステップを実行するためのコンピュータプログラムを記憶するように配置され、
現在オブジェクトの所在するグループセッションのセッションウインドウに、ターゲット請求書の請求書情報を表示するステップＳ１であって、処理対象となるターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、ターゲット請求書に記録された転送対象となる仮想リソースのリソース合計値が受信対象となる仮想リソースのリソース合計値に等しく、第１オブジェクトセットに含まれたオブジェクトと第２オブジェクトセットに含まれたオブジェクトとはグループセッションにあり、現在オブジェクトが第２オブジェクトセットにあるステップＳ１と、
ターゲット請求書に記録されたターゲットリソース値に従って、仮想リソース受信操作を実行するステップＳ２であって、前記ターゲットリソース値が前記ターゲットオブジェクトの受信対象となる仮想リソースを識別するステップＳ２と、
第１オブジェクトセットによって転送された仮想リソースのリソース値が転送対象となる仮想リソースのリソース合計値に達し、且つ第２オブジェクトセットによって受信された仮想リソースのリソース値が受信対象となる仮想リソースのリソース合計値に達した場合、請求書帳消しメッセージを表示するステップＳ３であって、請求書帳消しメッセージが、ターゲット請求書の帳消し処理が既に完成したことを示すために使用されるステップＳ３と、を含む。
【０１８６】
好ましくは、本実施例において、当業者は、上記の実施例の様々な方法における全部又は一部のステップが、プログラムを介して端末機器の関連するハードウエアに指令することによって完成することができることを理解することができ、当該プログラムはコンピュータ可読記憶媒体に記憶され、記憶媒体は、フラッシュディスク、読み取り専用メモリ（Ｒｅａｄ−Ｏｎｌｙ Ｍｅｍｏｒｙ、ＲＯＭ）、ランダムアクセスメモリ（Ｒａｎｄｏｍ Ａｃｃｅｓｓ Ｍｅｍｏｒｙ、ＲＡＭ）、磁気ディスク又は光学ディスクなどを含んでもよい。
【０１８７】
本出願の実施例はさらに、命令を含むコンピュータプログラム製品を提供し、当該コンピュータプログラム製品はサーバで実行される際、上記の実施例によって提供されるメッセージ交換方法をサーバに実行させる。
【０１８８】
上記の本発明の実施例の番号は、説明のみを目的としており、実施例の優位性を表すものではない。
【０１８９】
上記の実施例における集積されたユニットは、ソフトウェア機能ユニットという形式で実現されるとともに、独立の製品として販売又は使用される場合、上記のコンピュータ可読記憶媒体に記憶され得る。このような理解に基づいて、本発明の技術案は、本質的に又は従来技術に寄与する部分、又は当該技術案の全部又は一部を、ソフトウェア製品という形式で具体化することができ、当該コンピュータソフトウェア製品は、記憶媒体に記憶され、１台又は複数台のコンピュータ機器（パソコン、サーバ又はネットワーク機器などであってもよい）に、本発明の各実施例に記載される方法のステップの全部又は一部を実行させるための、若干の命令を含む。
【０１９０】
本発明の上記の実施例において、各実施例に対する説明はいずれも自体の重点があり、一実施例において詳しく説明されていない部分について、他の実施例の関連する説明を参照することができる。
【０１９１】
本出願によって提供されるいくつかの実施例において、開示されたクライアントは、他の方法で実現できることを理解されたい。上記の装置の実施例は単に例示的なものであり、例えば、前記ユニットの区画は、ただ論理機能の区画であり、実際に実現する場合、他の区画方式があってもよく、例えば、複数のユニット又はコンポーネントは組み合わされてもよく、他のシステムに集積されてもよく、或いは、いくつかの特徴を無視するか、又は実行していなくてもよい。また、表示或いは説明された相互結合、又は直接結合、或いは通信接続は、いくつかのインタフェース、ユニット又はモジュールによる間接結合又は通信接続であってもよいし、電気的又は他の形式であってもよい。
【０１９２】
上記の個別の部品として説明されたユニットは、物理的に離間してもよく、そうではなくてもよく、ユニットとして表示される部品は、物理ユニットであってもよく、そうではなくてもよく、即ち、１つの箇所に位置してもよく、又は複数のネットワークユニットに分布されてもよい。実際の必要に応じて、そのうちの一部又は全てのユニットを選択して、本実施例の技術案の目的を実現することができる。
【０１９３】
また、本発明の各実施例における各機能ユニットは、１つの処理ユニットに集積されてもよく、各ユニットが単独で物理的に存在してもよく、又は、２つ以上のユニットが１つのユニットに集積されてもよい。上記の集積されたユニットは、ハードウエアという形式で実現されてもよく、ソフトウェア機能ユニットという形式で実現されてもよい。
【０１９４】
上記は本発明の好適な実施形態のみであり、当業者にとって、本発明の原理から逸脱することなく、さらに若干の改良及び修飾を行うことができ、これらの改良及び修飾も本発明の保護範囲と見なされるべきであることに留意されたい。
【符号の説明】
【０１９５】
１０２  ユーザ
１０４  ユーザ機器
１０６  ユーザ
１０８  ユーザ機器
１１０  ユーザ
１１２  ユーザ機器
１１４  ユーザ
１１８  ネットワーク
１２０  サーバ
１２２  データベース
１２４  エンジン
３０２  端末
３０４  サーバ
３０６  第１メンバオブジェクトセット
３０８  第２メンバオブジェクトセット
５０２  請求書開始ボタン
５０４−１  選択ボタン
５０４−２  削除ボタン
５０６−１  選択ボタン
５０６−２  削除ボタン
５０８  選択標識
５１０−１  決定ボタン
５１０−２  キャンセルキー
５１２−１  決定キー
５１２−２  キャンセルボタン
７０２  ショートカットインタフェース
７０４  請求書記録
８０２  ボタン
１２０２  第１受信ユニット
１２０４  生成ユニット
１２０６  第１送信ユニット
１２０８  第２送信ユニット
１３０２  第１表示ユニット
１３０４  実行ユニット
１３０６  第２表示ユニット
１４０２  第１表示ユニット
１４０４  実行ユニット
１４０６  第２表示ユニット
１５０２  メモリ
１５０４  プロセッサ
１５０６  伝送装置
１５０８  ディスプレイ
１５１０  接続バス
１６０２  メモリ
１６０４  プロセッサ
１６０６  伝送装置
１６０８  ディスプレイ
１６１０  接続バス
１７０２  メモリ
１７０４  プロセッサ
１７０６  伝送装置
１７０８  ディスプレイ
１７１０  接続バス
【図１】
2021520580.tif 000003
【図２】
2021520580.tif 000004
【図３】
2021520580.tif 000005
【図４】
2021520580.tif 000006
【図５】
2021520580.tif 000007
【図６】
2021520580.tif 000008
【図７】
2021520580.tif 000009
【図８】
2021520580.tif 000010
【図９】
2021520580.tif 000011
【図１０】
2021520580.tif 000012
【図１１】
2021520580.tif 000013
【図１２】
2021520580.tif 000014
【図１３】
2021520580.tif 000015
【図１４】
2021520580.tif 000016
【図１５】
2021520580.tif 000017
【図１６】
2021520580.tif 000018
【図１７】
2021520580.tif 000019
【手続補正書】
【提出日】令和2年11月5日(2020.11.5)
【手続補正２】
【補正対象書類名】明細書
【補正対象項目名】００１７
【補正方法】変更
【補正の内容】
【００１７】
選択可能な例示として、前記実行ユニットは、
第１操作パネルに対して操作を実行することによって生成された第１転送命令を取得するための第１取得モジュールであって、前記第１操作パネルが前記グループセッションのセッションウインドウに表示される第１取得モジュールと、
前記第１転送命令に応答して、前記ターゲットオブジェクトに関連付けられたリソースライブラリから、前記ターゲットリソース値に対応するターゲット仮想リソースを取得し、前記ターゲット仮想リソースをサーバに転送するための第２取得モジュールと、
前記グループセッションのセッションウインドウに、第１転送結果メッセージを表示するための第３表示モジュールであって、前記第１転送結果メッセージが、前記ターゲットオブジェクトによって前記ターゲット仮想リソースが転送された後の転送結果を指示する第３表示モジュールと、を含む。
【手続補正３】
【補正対象書類名】明細書
【補正対象項目名】００１９
【補正方法】変更
【補正の内容】
【００１９】
選択可能な例示として、前記装置はさらに、
前記ターゲット請求書に記録された前記ターゲットオブジェクトの転送対象となる仮想リソースのターゲットリソース値に従って、仮想リソース転送操作を実行する前に、請求書確認命令を取得するための取得ユニットであって、前記請求書確認命令が、前記ターゲット請求書における前記ターゲットオブジェクトの転送対象となる仮想リソースの前記ターゲットリソース値を確認するために使用される取得ユニットと、
前記請求書確認命令を前記サーバに送信するための送信ユニットと、
前記サーバによって送信された操作提示メッセージを受信するための受信ユニットであって、前記操作提示メッセージが、前記ターゲットオブジェクトに対して仮想リソース転送操作を実行することが許可されていることを提示するために使用される受信ユニットと、を含む。
【手続補正４】
【補正対象書類名】明細書
【補正対象項目名】００３４
【補正方法】変更
【補正の内容】
【００３４】
ユーザ１０２はユーザ機器１０４との間でマンマシンインタラクションを実行でき、ユーザ１０６はユーザ機器１０８との間でマンマシンインタラクションを実行でき、ユーザ１１０はユーザ機器１１２との間でマンマシンインタラクションを実行でき、ユーザ１１４はユーザ機器１１６との間でデータ交換を実行できる。ユーザ１０２とユーザ１０６は第１オブジェクトセットを構成し、ユーザ１１０とユーザ１１６は第２オブジェクトセットを構成する。サーバ１２０はデータベース１２２と帳消しエンジン１２４とを含み、サーバ１２０はステップＳ１０２を介してネットワーク１１８によってユーザ機器１０４から送信された請求書作成リクエストを受信し、サーバ１２０は請求書作成リクエストに応答して、ターゲット請求書を生成し、ステップＳ１０４を介してターゲット請求書をユーザ機器１０４、ユーザ機器１０８、ユーザ機器１１２及びユーザ機器１１６に送信し、それにより、ユーザ１０２とユーザ１０６はターゲット請求書に従って、仮想リソースを転送し、ユーザ１１０とユーザ１１４はターゲット請求書に従って、仮想リソースを受信する。転送された仮想リソースの合計値が受信された仮想リソースの合計値に等しい場合、サーバ１２０は、ターゲット請求書の帳消しが完成したことを指示する。
【手続補正５】
【補正対象書類名】明細書
【補正対象項目名】００４５
【補正方法】変更
【補正の内容】
【００４５】
例えば、請求書作成リクエストを開始するオブジェクトは第１オブジェクトセットと第２オブジェクトセットに含まれていないことを例として、図３に示すように、端末３０２は、請求書処理リクエストを取得した後、ステップＳ３０２を介して前記請求書処理リクエストをサーバ３０４に送信することで、サーバ３０４は請求書処理リクエストに従って、ターゲット請求書を生成する。そして、ステップＳ３０４を介してターゲット請求書を第１メンバオブジェクトセット３０６に送信する。第１メンバオブジェクトセット３０６はステップＳ３０６を介して仮想リソースをサーバ３０４に送信し、サーバ３０４からステップＳ３０８を介して仮想リソースを第２メンバオブジェクトセット３０８に転送する。
【手続補正６】
【補正対象書類名】明細書
【補正対象項目名】０１５７
【補正方法】変更
【補正の内容】
【０１５７】
１つの選択可能な実施案として、前記装置はさらに、
（１）ターゲット請求書に記録された現在オブジェクトの受信対象となる仮想リソースのターゲットリソース値に従って、仮想リソース受信操作を実行する前に、請求書確認命令を取得するための第１取得ユニットであって、請求書確認命令が、ターゲット請求書における現在オブジェクトの受信対象となる仮想リソースのターゲットリソース値を確認するために使用される第１取得ユニットと、
（２）請求書確認命令をサーバに送信するための送信ユニットと、
（３）サーバによって送信された操作提示メッセージを受信するための受信ユニットであって、操作提示メッセージが、現在オブジェクトが仮想リソース受信操作を実行することが許可されていることを提示するために使用される受信ユニットと、を含む。
【手続補正７】
【補正対象書類名】明細書
【補正対象項目名】０１６６
【補正方法】変更
【補正の内容】
【０１６６】
前記電子装置はさらに、伝送装置１５０６を含み、前記伝送装置１５０６は、１つのネットワークを介してデータを送受信する。上記のネットワークの特定の例は、有線ネットワーク及び無線ネットワークを含んでもよい。一例において、伝送装置１５０６は、ネットワークケーブルを介して他のネットワーク機器及びルータに接続されることで、インターネット又はローカルエリアネットワークと通信できるネットワークアダプタ（Ｎｅｔｗｏｒｋ Ｉｎｔｅｒｆａｃｅ Ｃｏｎｔｒｏｌｌｅｒ、ＮＩＣ）を含む。一例において、伝送装置１５０６は無線方式でインターネットと通信するための無線周波（Ｒａｄｉｏ Ｆｒｅｑｕｅｎｃｙ、ＲＦ）モジュールである。
【手続補正８】
【補正対象書類名】明細書
【補正対象項目名】０１７３
【補正方法】変更
【補正の内容】
【０１７３】
前記電子装置はさらに、伝送装置１６０６を含み、前記伝送装置１６０６は１つのネットワークを介してデータを送受信する。上記のネットワークの特定の例は、有線ネットワーク及び無線ネットワークを含んでもよい。一例において、伝送装置１６０６は、ネットワークケーブルを介して他のネットワーク機器及びルータに接続されることで、インターネット又はローカルエリアネットワークと通信できるネットワークアダプタ（Ｎｅｔｗｏｒｋ Ｉｎｔｅｒｆａｃｅ Ｃｏｎｔｒｏｌｌｅｒ、ＮＩＣ）を含む。一例において、伝送装置１６０６は、無線方式でインターネットと通信するための無線周波（Ｒａｄｉｏ Ｆｒｅｑｕｅｎｃｙ、ＲＦ）モジュールである。
【手続補正９】
【補正対象書類名】明細書
【補正対象項目名】０１８０
【補正方法】変更
【補正の内容】
【０１８０】
前記電子装置はさらに、伝送装置１７０６を含み、前記伝送装置１７０６は１つのネットワークを介してデータを送受信する。上記のネットワークの特定の例は、有線ネットワーク及び無線ネットワークを含んでもよい。一例において、伝送装置１７０６は、ネットワークケーブルを介して他のネットワーク機器及びルータに接続されることで、インターネット又はローカルエリアネットワークと通信できるネットワークアダプタ（Ｎｅｔｗｏｒｋ Ｉｎｔｅｒｆａｃｅ Ｃｏｎｔｒｏｌｌｅｒ、ＮＩＣ）を含む。一例において、伝送装置１７０６は、無線方式でインターネットと通信するための無線周波（Ｒａｄｉｏ Ｆｒｅｑｕｅｎｃｙ、ＲＦ）モジュールである。
【手続補正１０】
【補正対象書類名】特許請求の範囲
【補正対象項目名】全文
【補正方法】変更
【補正の内容】
【特許請求の範囲】
【請求項１】
メッセージ交換方法であって、
サーバが、グループセッションによって開始される請求書作成リクエストを受信するステップと、
前記サーバが、前記請求書作成リクエストに応答して、ターゲット請求書を生成するステップであって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあるステップと、
前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが、前記ターゲット請求書に記録された前記受信対象となる仮想リソースのリソース値に従って、仮想リソース受信操作を実行するように、前記サーバが、前記ターゲット請求書を前記第１オブジェクトセットに含まれたオブジェクトと前記第２オブジェクトセットに含まれたオブジェクトに送信するステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記サーバが、前記ターゲット請求書の帳消しが完成したことを指示するステップと、
を含むことを特徴とする方法。
【請求項２】
前記サーバが、前記ターゲット請求書を前記第１オブジェクトセットに含まれたオブジェクトと、前記第２オブジェクトセットに含まれたオブジェクトに送信するステップは、
前記サーバが、前記ターゲット請求書を前記第１オブジェクトセットに含まれたオブジェクトと前記第２オブジェクトセットに含まれたオブジェクトに同時に送信するステップ、又は、
前記サーバが、前記ターゲット請求書を前記第１オブジェクトセットに含まれたオブジェクトと前記第２オブジェクトセットに含まれたオブジェクトに非同期的に送信するステップ、
を含むことを特徴とする請求項１に記載の方法。
【請求項３】
前記サーバが、前記ターゲット請求書を、前記第１オブジェクトセットに含まれたオブジェクトと、前記第２オブジェクトセットに含まれたオブジェクトに非同期的に送信するステップは、
前記サーバが、前記第１オブジェクトセットに含まれたオブジェクトに前記ターゲット請求書を送信するステップであって、前記第１オブジェクトセットによって転送された仮想リソースのリソース値が、前記転送対象となる仮想リソースのリソース合計値に達した場合、前記第２オブジェクトセットに含まれたオブジェクトに前記ターゲット請求書を送信するステップ、又は、
前記サーバが、前記第２オブジェクトセットに含まれたオブジェクトに前記ターゲット請求書を送信するステップであって、前記第２オブジェクトセットによって受信された仮想リソースのリソース値が、前記受信対象となる仮想リソースのリソース合計値に達した場合、前記第１オブジェクトセットに含まれたオブジェクトに前記ターゲット請求書を送信するステップ、
を含むことを特徴とする請求項２に記載の方法。
【請求項４】
前記サーバが、前記ターゲット請求書を前記第１オブジェクトセットに含まれたオブジェクトと、前記第２オブジェクトセットに含まれたオブジェクトに送信した後、さらに、
前記サーバが、前記第１オブジェクトセットに含まれたオブジェクトが前記転送対象となる仮想リソースのリソース値に従って転送した仮想リソースを受信し、前記受信対象となる仮想リソースのリソース値に従って、前記第２オブジェクトセットに含まれたオブジェクトに仮想リソースを転送するステップ、又は、
前記サーバが、前記第１オブジェクトセットに含まれたオブジェクトが前記転送対象となる仮想リソースのリソース値に従って転送した仮想リソースを受信し、前記第１オブジェクトセットによって転送された仮想リソースのリソース値が前記転送対象となる仮想リソースのリソース合計値に達した場合、前記受信対象となる仮想リソースのリソース値に従って、前記第２オブジェクトセットに含まれたオブジェクトに仮想リソースを転送するステップ、又は、
前記サーバが、前記受信対象となる仮想リソースのリソース値に従って、前記第２オブジェクトセットに含まれたオブジェクトに仮想リソースを転送し、前記第２オブジェクトセットによって受信された仮想リソースのリソース値が前記受信対象となる仮想リソースのリソース合計値に達した場合、前記第１オブジェクトセットに含まれたオブジェクトが前記転送対象となる仮想リソースのリソース値に従って転送した仮想リソースを受信するステップ、
を含むことを特徴とする請求項１に記載の方法。
【請求項５】
前記サーバが、前記第１オブジェクトセットに含まれたオブジェクトが前記転送対象となる仮想リソースのリソース値に従って転送した仮想リソースを受信し、前記受信対象となる仮想リソースのリソース値に従って、前記第２オブジェクトセットに含まれたオブジェクトに仮想リソースを転送するステップは、
前記第１オブジェクトセットから受信された仮想リソースのリソース値が第１リソース値に達し、且つ前記第１リソース値が前記第２オブジェクトセットにおけるターゲットオブジェクトの受信対象となる仮想リソースのリソース値以上である場合、前記サーバが、前記ターゲットオブジェクトの受信対象となる仮想リソースのリソース値に従って、前記第１オブジェクトセットから受信された仮想リソースから仮想リソースを差し引き、前記ターゲットオブジェクトの受信対象となる仮想リソースのリソース値に従って、前記ターゲットオブジェクトに仮想リソースを転送するステップ、
を含むことを特徴とする請求項４に記載の方法。
【請求項６】
前記サーバが前記ターゲット請求書を前記第１オブジェクトセットに含まれたオブジェクトと、前記第２オブジェクトセットに含まれたオブジェクトに送信した後、さらに、
前記サーバが、前記第１オブジェクトセットに含まれたオブジェクトによって送信された第１請求書確認命令を受信するステップであって、前記第１請求書確認命令が、前記ターゲット請求書における前記第１オブジェクトセットに含まれたオブジェクトが転送対象となる仮想リソースを確認したことを指示するために使用されるステップと、
前記サーバが、前記第２オブジェクトセットに含まれたオブジェクトによって送信された第２請求書確認命令を受信するステップであって、前記第２請求書確認命令が、前記ターゲット請求書における前記第２オブジェクトセットに含まれたオブジェクトが受信対象となる仮想リソースを確認したことを指示するために使用されるステップと、
を含むことを特徴とする請求項１に記載の方法。
【請求項７】
メッセージ交換方法であって、前記方法は、
ユーザ機器が、ターゲットオブジェクトの所在するグループセッションのセッションウインドウに、ターゲット請求書の請求書情報を表示するステップであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が、前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第１オブジェクトセットにあるステップと、
前記ユーザ機器が、前記ターゲット請求書に記録されたターゲットリソース値に従って、仮想リソース転送操作を実行するステップであって、前記ターゲットリソース値が、前記ターゲットオブジェクトの転送対象となる仮想リソースを識別するために使用されるステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ユーザ機器が、請求書帳消しメッセージを表示するステップであって、前記請求書帳消しメッセージが、前記ターゲット請求書の帳消し処理が既に完成したことを示すために使用されるステップと、
を含むことを特徴とする方法。
【請求項８】
前記ユーザ機器が、ターゲットオブジェクトの所在するグループセッションのセッションウインドウに、ターゲット請求書の請求書情報を表示するステップは、
前記ユーザ機器が、前記グループセッションのセッションウインドウに前記ターゲット請求書の請求書記録を表示するステップであって、前記グループセッションのうちの前記第１オブジェクトセット及び前記第２オブジェクトセットに含まれたオブジェクトに、前記ターゲット請求書をチェックするチェック権限が配置されるステップと、
前記ユーザ機器が、前記グループセッションのセッションウインドウに、前記ターゲット請求書が生成されたことを提示するための提示情報を表示し、前記ターゲットオブジェクトのために単独で作成されたターゲットセッションのセッションウインドウに、前記ターゲット請求書の請求書記録を表示するステップと、
のうちの１つを含むことを特徴とする請求項７に記載の方法。
【請求項９】
前記ユーザ機器が、前記ターゲット請求書に記録されたターゲットリソース値に従って、仮想リソース転送操作を実行するステップは、
前記ユーザ機器が、第１操作パネルに対して操作を実行することによって生成された第１転送命令を取得するステップであって、前記第１操作パネルが、前記グループセッションのセッションウインドウに表示されるステップと、
前記ユーザ機器が前記第１転送命令に応答して、前記ターゲットオブジェクトに関連付けられたリソースライブラリから前記ターゲットリソース値に対応するターゲット仮想リソースを取得し、前記ターゲット仮想リソースをサーバに転送するステップと、
前記ユーザ機器が、前記グループセッションのセッションウインドウに、第１転送結果メッセージを表示するステップであって、前記第１転送結果メッセージが、前記ターゲットオブジェクトが前記ターゲット仮想リソースを転送した後の転送結果を指示するために使用されるステップと、
を含むことを特徴とする請求項８に記載の方法。
【請求項１０】
前記ユーザ機器が、前記ターゲット請求書に記録されたターゲットリソース値に従って、仮想リソース転送操作を実行するステップは、
前記ユーザ機器が、第２操作パネルに対して操作を実行することによって生成された第２転送命令を取得するステップであって、前記第２操作パネルが、前記ターゲットセッションのセッションウインドウに表示されるステップと、
前記ユーザ機器が、前記第２転送命令に応答して、前記ターゲットオブジェクトに関連付けられたリソースライブラリから、前記ターゲットリソース値に対応するターゲット仮想リソースを取得し、前記ターゲット仮想リソースをサーバに転送するステップと、
前記ユーザ機器が、前記ターゲットセッションのセッションウインドウに、第２転送結果メッセージを表示するステップであって、前記第２転送結果メッセージが、前記ターゲットオブジェクトが前記ターゲット仮想リソースを転送した後の転送結果を指示するために使用されるステップと、
を含むことを特徴とする請求項８に記載の方法。
【請求項１１】
前記ユーザ機器が前記ターゲット請求書に記録されたターゲットリソース値に従って、仮想リソース転送操作を実行するステップの前に、
前記ユーザ機器が、請求書確認命令を取得するステップであって、前記請求書確認命令が、前記ターゲット請求書における前記ターゲットオブジェクトの転送対象となる仮想リソースの前記ターゲットリソース値を確認するために使用されるステップと、
前記ユーザ機器が前記請求書確認命令をサーバに送信するステップと、
前記ユーザ機器が、前記サーバによって送信された操作提示メッセージを受信するステップであって、前記操作提示メッセージが、前記ターゲットオブジェクトに対して仮想リソース転送操作を実行することが許可されていることを提示するために使用されるステップと、
をさらに含むことを特徴とする請求項７に記載の方法。
【請求項１２】
前記ユーザ機器が、ターゲットオブジェクトの所在するグループセッションのセッションウインドウに、ターゲット請求書の請求書情報を表示するステップは、
前記ユーザ機器が、前記ターゲットオブジェクトによってトリガーされた第１請求書リクエストを取得し、前記第１請求書リクエストに応答して、前記グループセッションのセッションウインドウに前記ターゲット請求書の請求書情報を表示するステップであって、前記第１請求書リクエストが、前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれるステップ、又は、
前記ユーザ機器が、前記グループセッションにある他のオブジェクトによってトリガーされた第２請求書リクエストを取得し、前記第２請求書リクエストに応答して、前記グループセッションのセッションウインドウに前記ターゲット請求書の請求書情報を表示するステップであって、前記第２請求書リクエストが、前記グループセッションから複数のオブジェクトを選択して前記ターゲット請求書を生成することをリクエストするために使用され、前記複数のオブジェクトがそれぞれ前記第１オブジェクトセットと前記第２オブジェクトセットに含まれ、前記他のオブジェクトが前記複数のオブジェクトのうちの、前記ターゲットオブジェクト以外のオブジェクトであるステップ、
を含むことを特徴とする請求項７に記載の方法。
【請求項１３】
メッセージ交換方法であって、
ユーザ機器が、ターゲットオブジェクトの所在するグループセッションのセッションウインドウに、ターゲット請求書の請求書情報を表示するステップであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第２オブジェクトセットに含まれるステップと、
前記ユーザ機器が、前記ターゲット請求書に記録されたターゲットリソース値に従って、仮想リソース受信操作を実行するステップであって、前記ターゲットリソース値が、前記ターゲットオブジェクトの受信対象となる仮想リソースを識別するステップと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ユーザ機器が、請求書帳消しメッセージを表示するステップであって、前記請求書帳消しメッセージが、前記ターゲット請求書の帳消し処理が既に完成したことを示すために使用されるステップと、
を含むことを特徴とする方法。
【請求項１４】
前記ユーザ機器が、ターゲットオブジェクトの所在するグループセッションのセッションウインドウに、ターゲット請求書の請求書情報を表示するステップは、
前記ユーザ機器が、前記グループセッションのセッションウインドウに前記ターゲット請求書の請求書記録を表示するステップであって、前記グループセッションのうちの前記第１オブジェクトセット及び前記第２オブジェクトセットに含まれたオブジェクトに、前記ターゲット請求書をチェックするチェック権限が配置されるステップと、
前記ユーザ機器が、前記グループセッションのセッションウインドウに、前記ターゲット請求書が生成されたことを提示するための提示情報を表示し、前記ターゲットオブジェクトのために単独で作成されたターゲットセッションのセッションウインドウに、前記ターゲット請求書の請求書記録を表示するステップと、
を含むことを特徴とする請求項１３に記載の方法。
【請求項１５】
前記ユーザ機器が、前記ターゲット請求書に記録されたターゲットリソース値に従って、仮想リソース受信操作を実行するステップは、
前記ユーザ機器が、前記グループセッションのセッションウインドウを介して、前記ターゲットリソース値に対応するターゲット仮想リソースを取得するステップと、
前記ユーザ機器が、前記ターゲット仮想リソースを前記ターゲットオブジェクトに関連付けられたリソースライブラリに転送するステップと、
を含むことを特徴とする請求項１４に記載の方法。
【請求項１６】
前記ユーザ機器が前記ターゲット請求書に記録されたターゲットリソース値に従って、仮想リソース受信操作を実行するステップは、
前記ユーザ機器が前記ターゲットセッションのセッションウインドウから、前記ターゲットリソース値に対応するターゲット仮想リソースを取得するステップと、
前記ユーザ機器が、前記ターゲット仮想リソースを前記ターゲットオブジェクトに関連付けられたリソースライブラリに転送するステップと、
を含むことを特徴とする請求項１４に記載の方法。
【請求項１７】
前記ユーザ機器が前記ターゲット請求書に記録されたターゲットリソース値に従って、仮想リソース受信操作を実行するステップの前に、さらに、
前記ユーザ機器が、請求書確認命令を取得するステップであって、前記請求書確認命令が、前記ターゲット請求書における前記ターゲットオブジェクトの受信対象となる仮想リソースの前記ターゲットリソース値を確認するために使用されるステップと、
前記ユーザ機器が前記請求書確認命令をサーバに送信するステップと、
前記ユーザ機器が、前記サーバによって送信された操作提示メッセージを受信するステップであって、前記操作提示メッセージが、前記ターゲットオブジェクトに対して仮想リソース受信操作を実行することが許可されていることを提示するために使用されるステップと、
を含むことを特徴とする請求項１３に記載の方法。
【請求項１８】
前記ユーザ機器が、ターゲットオブジェクトの所在するグループセッションのセッションウインドウに、ターゲット請求書の請求書情報を表示するステップは、
前記ユーザ機器が、前記ターゲットオブジェクトによってトリガーされた第１請求書リクエストを取得し、前記第１請求書リクエストに応答して、前記グループセッションのセッションウインドウに前記ターゲット請求書の請求書情報を表示するステップであって、前記第１請求書リクエストが、前記グループセッションから複数のオブジェクトを選択して前記ターゲット請求書を生成することをリクエストするために使用され、前記複数のオブジェクトが、それぞれ前記第１オブジェクトセットと前記第２オブジェクトセットに含まれるステップ、又は、
前記ユーザ機器が、前記グループセッションにある他のオブジェクトによってトリガーされた第２請求書リクエストを取得し、前記第２請求書リクエストに応答して、前記グループセッションのセッションウインドウに、前記ターゲット請求書の請求書情報を表示するステップであって、前記第２請求書リクエストが、前記グループセッションから複数のオブジェクトを選択して前記ターゲット請求書を生成することをリクエストするために使用され、前記複数のオブジェクトが、それぞれ前記第１オブジェクトセットと前記第２オブジェクトセットに含まれ、前記他のオブジェクトが、前記複数のオブジェクトのうちの、前記ターゲットオブジェクト以外のオブジェクトであるステップ、
を含むことを特徴とする請求項１３に記載の方法。
【請求項１９】
メッセージ交換装置であって、
グループセッションによって開始される請求書作成リクエストを受信するための第１受信ユニットと、
前記請求書作成リクエストに応答して、ターゲット請求書を生成するための生成ユニットであって、前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにある生成ユニットと、
前記第１オブジェクトセットに含まれたオブジェクトが、前記ターゲット請求書に記録された前記転送対象となる仮想リソースのリソース値に従って、仮想リソース転送操作を実行し、前記第２オブジェクトセットに含まれたオブジェクトが、前記ターゲット請求書に記録された前記受信対象となる仮想リソースのリソース値に従って、仮想リソース受信操作を実行するように、前記ターゲット請求書を前記第１オブジェクトセットに含まれたオブジェクトと、前記第２オブジェクトセットに含まれたオブジェクトに送信するための第１送信ユニットと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が、前記受信対象となる仮想リソースのリソース合計値に達した場合、前記ターゲット請求書の帳消しが完成したことを指示するための第２送信ユニットと、
を含むことを特徴とするメッセージ交換装置。
【請求項２０】
メッセージ交換装置であって、
ターゲットオブジェクトの所在するグループセッションのセッションウインドウに、ターゲット請求書の請求書情報を表示するための第１表示ユニットであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第１オブジェクトセットにある第１表示ユニットと、
前記ターゲット請求書に記録されたターゲットリソース値に従って、仮想リソース転送操作を実行するための実行ユニットであって、前記ターゲットリソース値が、前記ターゲットオブジェクトの転送対象となる仮想リソースを識別するために使用される実行ユニットと、
前記第１オブジェクトセットによって転送された仮想リソースのリソース値が前記転送対象となる仮想リソースのリソース合計値に達し、且つ前記第２オブジェクトセットによって受信された仮想リソースのリソース値が、前記受信対象となる仮想リソースのリソース合計値に達した場合、請求書帳消しメッセージを表示するための第２表示ユニットであって、前記請求書帳消しメッセージが、前記ターゲット請求書の帳消し処理が既に完成したことを示すために使用される第２表示ユニットと、
を含むことを特徴とするメッセージ交換装置。
【請求項２１】
メッセージ交換装置であって、
ターゲットオブジェクトの所在するグループセッションのセッションウインドウに、ターゲット請求書の請求書情報を表示するための第１表示ユニットであって、処理対象となる前記ターゲット請求書には、第１オブジェクトセットに含まれたオブジェクトの転送対象となる仮想リソースのリソース値、及び第２オブジェクトセットに含まれたオブジェクトの受信対象となる仮想リソースのリソース値が記録され、前記ターゲット請求書に記録された、前記転送対象となる仮想リソースのリソース合計値が、前記受信対象となる仮想リソースのリソース合計値に等しく、前記第１オブジェクトセットに含まれたオブジェクトと前記第２オブジェクトセットに含まれたオブジェクトが前記グループセッションにあり、前記ターゲットオブジェクトが前記第２オブジェクトセットにある第１表示ユニットと、
前記ターゲット請求書に記録されたターゲットリソース値に従って、仮想リソース受信操作を実行するための実行ユニットであって、前記ターゲットリソース値が、前記ターゲットオブジェクトの受信対象となる仮想リソースを識別するために使用される実行ユニットと、
前記第１オブジェクトセットによって転送された仮想リソースのリソース値が、前記転送対象となる仮想リソースのリソース合計値に達し、且つ前記第２オブジェクトセットによって受信された仮想リソースのリソース値が前記受信対象となる仮想リソースのリソース合計値に達した場合、請求書帳消しメッセージを表示するための第２表示ユニットであって、前記請求書帳消しメッセージが、前記ターゲット請求書の帳消し処理が既に完成したことを示すために使用される第２表示ユニットと、
を含むことを特徴とするメッセージ交換装置。
【請求項２２】
メモリとプロセッサとを含む電子装置であって、前記メモリにはコンピュータプログラムが記憶され、前記プロセッサは、前記コンピュータプログラムによって、請求項１〜６又は請求項７〜１２、或いは請求項１３〜１８のいずれか１項に記載の方法を実行するように配置されることを特徴とする電子装置。
【請求項２３】
コンピュータに、請求項１〜６又は請求項７〜１２、或いは請求項１３〜１８のいずれか１項に記載の方法を実行させるコンピュータプログラム。
【国際調査報告】
2021520580.tif 000020
2021520580.tif 000021
2021520580.tif 000022
2021520580.tif 000023